(57)【要約】端末装置は、ｓＴＴＩの長さを示すｓＴＴＩパターン情報を受信する受信部と、ショート物理下りリンク制御チャネルに対するトランスミッションスキームに応じて前記ショート物理下りリンク制御チャネルをデコードし、前記ショート物理下りリンク共用チャネルに対するトランスミッションスキームに応じて前記ショート物理下りリンク共用チャネルをデコードするデコード部と、を備え、前記ショート物理下りリンク制御チャネルに対するトランスミッションスキームと、前記ショート物理下りリンク共用チャネルに対するトランスミッションスキームとは、前記ｓＴＴＩパターン情報に基づいて与えられる。
2017195660.tif 000002
【特許請求の範囲】
【請求項１】
ｓＴＴＩの長さを示すｓＴＴＩパターン情報を受信する受信部と、
ＰＤＣＣＨ候補において物理下りリンク制御チャネルをデコードし、ｓＰＤＣＣＨ候補においてショート物理下りリンク制御チャネルをデコードするデコード部と、
を備え、
前記ｓＰＤＣＣＨ候補に対するアグリゲーションレベルは、前記物理下りリンク制御チャネルによって与えられる
端末装置。
【請求項２】
前記ショート物理下りリンク制御チャネルの帯域幅は、前記ｓＴＴＩパターン情報に示されるｓＴＴＩの長さに少なくとも基づいて決定される
請求項１に記載の端末装置。
【請求項３】
ｓＴＴＩの長さを示すｓＴＴＩパターン情報を送信する送信部を備え、
前記送信部は、
ＰＤＣＣＨ候補において物理下りリンク制御チャネルをデコードさせ、ｓＰＤＣＣＨ候補においてショート物理下りリンク制御チャネルをデコードさせるための、前記ｓＰＤＣＣＨ候補に対するアグリゲーションレベルを、前記物理下りリンク制御チャネルによって送信する
基地局装置。
【請求項４】
前記ショート物理下りリンク制御チャネルの帯域幅は、前記ｓＴＴＩパターン情報に示されるｓＴＴＩの長さに基づいて決定される
請求項３に記載の基地局装置。
【請求項５】
端末装置に用いられる通信方法であって、
ｓＴＴＩの長さを示すｓＴＴＩパターン情報を受信する受信過程と、
ＰＤＣＣＨ候補において物理下りリンク制御チャネルをデコードし、ｓＰＤＣＣＨ候補においてショート物理下りリンク制御チャネルをデコードするデコード過程と、
を有し、
前記ｓＰＤＣＣＨ候補に対するアグリゲーションレベルは、前記物理下りリンク制御チャネルによって与えられる
通信方法。
【請求項６】
基地局装置に用いられる通信方法であって、
ｓＴＴＩの長さを示すｓＴＴＩパターン情報を送信する送信過程を有し、
前記送信過程は、
ＰＤＣＣＨ候補において物理下りリンク制御チャネルをデコードさせ、ｓＰＤＣＣＨ候補においてショート物理下りリンク制御チャネルをデコードさせるための、前記ｓＰＤＣＣＨ候補に対するアグリゲーションレベルを、前記物理下りリンク制御チャネルによって送信する
通信方法。
【請求項７】
端末装置に搭載される集積回路であって、
ｓＴＴＩの長さを示すｓＴＴＩパターン情報を受信する受信機能と、
ＰＤＣＣＨ候補において物理下りリンク制御チャネルをデコードし、ｓＰＤＣＣＨ候補においてショート物理下りリンク制御チャネルをデコードするデコード機能と、
を実現させるための集積回路であり、
前記ｓＰＤＣＣＨ候補に対するアグリゲーションレベルは、前記物理下りリンク制御チャネルによって与えられる
集積回路。
【請求項８】
基地局装置に搭載される集積回路であって、
ｓＴＴＩの長さを示すｓＴＴＩパターン情報を送信する送信機能を実現させるための集積回路であり、
前記送信機能は、
ＰＤＣＣＨ候補において物理下りリンク制御チャネルをデコードさせ、ｓＰＤＣＣＨ候補においてショート物理下りリンク制御チャネルをデコードさせるための、前記ｓＰＤＣＣＨ候補に対するアグリゲーションレベルを、前記物理下りリンク制御チャネルによって送信する
集積回路。
【発明の詳細な説明】
【技術分野】
【０００１】
本発明は、端末装置、基地局装置、通信方法および集積回路に関する。
本願は、２０１６年５月１２日に日本に出願された特願２０１６−０９６４９９号について優先権を主張し、その内容をここに援用する。
【背景技術】
【０００２】
セルラー移動通信の無線アクセス方式および無線ネットワーク（以下、「Ｌｏｎｇ  Ｔｅｒｍ  Ｅｖｏｌｕｔｉｏｎ（ＬＴＥ）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）、および、より広帯域な周波数を利用して、さらに高速なデータの通信を実現する無線アクセス方式及び無線ネットワーク（以下、「Ｌｏｎｇ  Ｔｅｒｍ  Ｅｖｏｌｕｔｉｏｎ−Ａｄｖａｎｃｅｄ（ＬＴＥ−Ａ）、または、「Ａｄｖａｎｃｅｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ａ−ＥＵＴＲＡ）」と称する。）が、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）おいて検討されている（非特許文献１、２参照）。ＬＴＥ、ＬＴＥ−Ａでは、基地局装置をｅＮｏｄｅＢ（ｅｖｏｌｖｅｄ  ＮｏｄｅＢ）、端末装置をＵＥ（Ｕｓｅｒ  Ｅｑｕｉｐｍｅｎｔ）とも称する。ＬＴＥ、ＬＴＥ−Ａは、基地局装置がカバーするエリアをセル状に複数配置するセルラー通信システムである。１つの基地局装置が、複数のセルを管理することもある。【０００３】
ＬＴＥ−Ａでは、基地局装置が端末装置に対して周波数帯域や送信電力などの無線リソース割り当てをスケジューリングする。無線リソースの最小割り当て単位は、リソースブロック（Ｒｅｓｏｕｒｃｅ  ｂｌｏｃｋ：ＲＢ）と呼ばれる。１つのＲＢは、周波数方向に１２本のサブキャリア、時間方向に７もしくは６シンボルで構成されている。スケジューリングの最小時間単位は、サブフレームであり、ＴＴＩ（Ｔｒａｎｓｍｉｓｓｉｏｎ  Ｔｉｍｉｎｇ  Ｉｎｔｅｒｖａｌ）とも称される。
ここで、３ＧＰＰでは、パケット遅延を軽減するためにＴＴＩよりも短い、ｓｈｏｒｔｅｎ  ＴＴＩ（ｓＴＴＩ）を用いることが検討されている（非特許文献１、２参照）。
【先行技術文献】
【非特許文献】
【０００４】
【非特許文献１】Ｅｒｉｃｓｏｎ、  “Ｄｅｓｉｇｎ  ｏｆ  ＤＬ  ＤＣＩ  ｆｏｒ  ｓｈｏｒｔ  ＴＴＬ”、  ３ＧＰＰ  ＴＳＧ  ＲＡＮ  ＷＧ１  Ｍｅｅｔｉｎｇ  ＃８４、  Ｒ１−１６０９３１、６ｔｈ  Ｆｅｂｒｕａｒｙ  ２０１６．
【非特許文献２】Ｅｒｉｃｓｏｎ、  “Ｐｈｙｓｉｃａｌ  ｌａｙｅｒ  ａｓｐｅｃｔｓ  ｏｆ  ｓｈｏｒｔ  ＴＴＩ  ｆｏｒ  ｄｏｗｎｌｉｎｋ  ｔｒａｎｓｍｉｓｓｉｏｎｓ”、  ３ＧＰＰ  ＴＳＧ  ＲＡＮ  ＷＧ１  Ｍｅｅｔｉｎｇ  ＃８４、  Ｒ１−１６０９３４、６ｔｈ  Ｆｅｂｒｕａｒｙ  ２０１６．
【発明の概要】
【発明が解決しようとする課題】
【０００５】
しかしながら、ｓＴＴＩを用いることについて十分に検討されていなかった。【０００６】
本発明の一態様は、上記した事情に鑑みてなされたもので、ｓＴＴＩを用いた通信を効率的に行うことができる端末装置、基地局装置、通信方法および集積回路を提供することを目的の一つとする。
【課題を解決するための手段】
【０００７】
本発明の第１の態様は、上記の課題を解決するためになされたものであり、端末装置は、ｓＴＴＩの長さを示すｓＴＴＩパターン情報を受信する受信部と、ＰＤＣＣＨ候補において物理下りリンク制御チャネルをデコードし、ｓＰＤＣＣＨ候補においてショート物理下りリンク制御チャネルをデコードするデコード部と、を備え、前記ｓＰＤＣＣＨ候補に対するアグリゲーションレベルは、前記物理下りリンク制御チャネルによって与えられる端末装置である。【０００８】
また、本発明の第２の態様は、上記の課題を解決するためになされたものであり、基地局装置は、ＴＴＩの長さを示すｓＴＴＩパターン情報を送信する送信部を備え、前記送信部は、ＰＤＣＣＨ候補において物理下りリンク制御チャネルをデコードさせ、ｓＰＤＣＣＨ候補においてショート物理下りリンク制御チャネルをデコードさせるための、前記ｓＰＤＣＣＨ候補に対するアグリゲーションレベルを、前記物理下りリンク制御チャネルによって送信する送信する基地局装置である。【０００９】
また、本発明の第３の態様は、上記の課題を解決するためになされたものであり、端末装置に用いられる通信方法であって、通信方法は、ｓＴＴＩの長さを示すｓＴＴＩパターン情報を受信する受信過程と、ＰＤＣＣＨ候補において物理下りリンク制御チャネルをデコードし、ｓＰＤＣＣＨ候補においてショート物理下りリンク制御チャネルをデコードするデコード過程と、を有し、前記ｓＰＤＣＣＨ候補に対するアグリゲーションレベルは、前記物理下りリンク制御チャネルによって与えられる通信方法である。【００１０】
また、本発明の第４の態様は、上記の課題を解決するためになされたものであり、基地局装置に用いられる通信方法であって、通信方法は、ｓＴＴＩの長さを示すｓＴＴＩパターン情報を送信する送信過程を有し、前記送信過程は、ＰＤＣＣＨ候補において物理下りリンク制御チャネルをデコードさせ、ｓＰＤＣＣＨ候補においてショート物理下りリンク制御チャネルをデコードさせるための、前記ｓＰＤＣＣＨ候補に対するアグリゲーションレベルを、前記物理下りリンク制御チャネルによって送信する通信方法である。【００１１】
また、本発明の第５の態様は、上記の課題を解決するためになされたものであり、端末装置に搭載される集積回路であって、集積回路は、ｓＴＴＩの長さを示すｓＴＴＩパターン情報を受信する受信機能と、ＰＤＣＣＨ候補において物理下りリンク制御チャネルをデコードし、ｓＰＤＣＣＨ候補においてショート物理下りリンク制御チャネルをデコードするデコード機能と、を実現させるための集積回路であり、前記ｓＰＤＣＣＨ候補に対するアグリゲーションレベルは、前記物理下りリンク制御チャネルによって与えられる集積回路である。【００１２】
また、本発明の第６の態様は、上記の課題を解決するためになされたものであり、基地局装置に搭載される集積回路であって、集積回路は、ｓＴＴＩの長さを示すｓＴＴＩパターン情報を送信する送信機能を実現させるための集積回路であり、前記送信機能は、ＰＤＣＣＨ候補において物理下りリンク制御チャネルをデコードさせ、ｓＰＤＣＣＨ候補においてショート物理下りリンク制御チャネルをデコードさせるための、前記ｓＰＤＣＣＨ候補に対するアグリゲーションレベルを、前記物理下りリンク制御チャネルによって送信する集積回路である。
【発明の効果】
【００１３】
本発明の一態様によれば、効率的に通信を行うことができる。
【図面の簡単な説明】
【００１４】
【図１】本発明の第１の実施形態に係る無線通信システムの構成の一例を示す概略図である。
【図２】本発明の第１の実施形態に係る下りリンクデータの送信方法の一例を示す概略図である。
【図３】本発明の第１の実施形態に係る端末装置の構成の一例を示す概略ブロック図である。
【図４】本発明の第１の実施形態に係る基地局装置の構成の一例を示す概略ブロック図である。
【図５】本発明の第１の実施形態に係る基地局装置がマッピングする信号の一例を示す概略図である。
【図６】本発明の第１の実施形態に係る基地局装置がマッピングする信号の他の一例を示す概略図である。
【図７】本発明の第１の実施形態に係るｓＴＴＩ  ｌｅｎｇｔｈ判定テーブルの一例を示す図である。
【図８】本発明の第１の実施形態に係るｓＰＤＣＣＨ  ｌｅｎｇｔｈ判定テーブルの一例を示す図である。
【図９】本発明の第１の実施形態に係るｓＰＤＳＣＨ  ｌｅｎｇｔｈ判定テーブルの一例を示す図である。
【図１０】本発明の第１の実施形態に係るトランスミッションスキーム決定処理の一例を示すフローチャートである。
【図１１】本発明の第１の実施形態に係るｓＴＴＩ内のｓＰＤＣＣＨとｓＰＤＳＣＨの多重方式の一例を示す概略図である。
【図１２】本発明の第１の実施形態に係る異なるｓＴＴＩｌｅｎｇｔｈ内のｓＰＤＣＣＨとｓＰＤＳＣＨの周波数多重方式の一例を示す概略図である。
【図１３】本発明の第２の実施形態に係るＰＤＳＣＨに対するトランスミッションモードのＤＣＩフォーマットの一例を示す概略図である。
【図１４】本発明の第２の実施形態に係るｓＰＤＳＣＨに対するトランスミッションモードのＤＣＩフォーマットの一例を示す概略図である。
【図１５】本発明の第２の実施形態に係るｓＰＤＳＣＨに対するトランスミッションモードのＤＣＩフォーマットの他の一例を示す概略図である。
【図１６】本発明の第２の実施形態に係るＰＤＳＣＨトランスミッションモードとｓＰＤＳＣＨトランスミッションモードとを共通で設定する場合の一例を示すシーケンス図である。
【図１７】本発明の第２の実施形態に係るｓＰＤＳＣＨトランスミッションモードとＰＤＳＣＨトランスミッションモードとを独立に設定する場合の一例を示すシーケンス図である。
【図１８】本発明の第２の実施形態に係るｓＰＤＳＣＨトランスミッションモードとＰＤＳＣＨトランスミッションモードとを独立に設定する場合の他の一例を示すシーケンス図である。
【図１９】本発明の第３の実施形態に係る下りリンクデータの送信方法の一例を示す概略図である。
【発明を実施するための形態】
【００１５】
以下、図面を参照しながら本発明の各実施形態について詳しく説明する。
【００１６】
（第１の実施形態）
図１は、本発明の第１の実施形態に係る無線通信システムの構成の一例を示す概略図である。
図１において、無線通信システムは、端末装置１Ａと、端末装置１Ｂと、端末装置１Ｃと、および基地局装置３とを含んで構成される。以下の説明において、端末装置１Ａ〜１Ｃを端末装置１とも称する。
端末装置１は、基地局装置３と無線通信を行う。
なお、無線通信システムは、コアネットワークにおけるＭＭＥ（Ｍｏｂｉｌｉｔｙ  Ｍａｎａｇｅｍｅｎｔ  Ｅｎｔｉｔｙ）／ＧＷ（Ｇａｔｅｗａｙ）装置や、他の基地局装置、他の基地局装置と通信する端末装置などを含んでも構成されてもよい。複数の基地局装置を備える場合、基地局装置は、ＭＭＥ／ＧＷ装置とバックホールリンクＳ１（Ｓ１リンクとも称する。）で接続され、各基地局装置間は、バックホールリンクＸ２（Ｘ２リンクとも称する）で接続される。
【００１７】
本実施形態における物理チャネルおよび物理信号について説明する。
【００１８】
図１において、端末装置１から基地局装置３への上りリンクの無線通信では、以下の上りリンク物理チャネルが用いられる。ここで、上りリンク物理チャネルは、上位層から出力された情報を送信するために使用される。
・ＰＵＣＣＨ（Ｐｈｙｓｉｃａｌ  Ｕｐｌｉｎｋ  ｃｏｎｔｒｏｌ  Ｃｈａｎｎｅｌ）
・ｓＰＵＣＣＨ（ｓｈｏｒｔ  Ｐｈｙｓｉｃａｌ  Ｕｐｌｉｎｋ  ｃｏｎｔｒｏｌ  Ｃｈａｎｎｅｌ）
・ＰＵＳＣＨ（Ｐｈｙｓｉｃａｌ  Ｕｐｌｉｎｋ  Ｓｈａｒｅｄ  Ｃｈａｎｎｅｌ）
・ｓＰＵＳＣＨ（ｓｈｏｒｔ  Ｐｈｙｓｉｃａｌ  Ｕｐｌｉｎｋ  Ｓｈａｒｅｄ  Ｃｈａｎｎｅｌ）
・ＰＲＡＣＨ（Ｐｈｙｓｉｃａｌ  Ｒａｎｄｏｍ  Ａｃｃｅｓｓ  Ｃｈａｎｎｅｌ）
・ｓＰＲＡＣＨ（ｓｈｏｒｔ  Ｐｈｙｓｉｃａｌ  Ｒａｎｄｏｍ  Ａｃｃｅｓｓ  Ｃｈａｎｎｅｌ）
【００１９】
ＰＵＣＣＨ（物理上りリンク制御チャネル）、および／または、ｓＰＵＣＣＨ（ショート物理上りリンク制御チャネル）は、上りリンク制御情報（Ｕｐｌｉｎｋ  ｃｏｎｔｒｏｌ  Ｉｎｆｏｒｍａｔｉｏｎ：ＵＣＩ）を送信するために用いられる。以下の説明において、ＰＵＣＣＨは、ｓＰＵＣＣＨを含んでもよい。ここで、上りリンク制御情報（ＵＣＩ）には、下りリンクのチャネルの状態を示すために用いられるチャネル状態情報（Ｃｈａｎｎｅｌ  Ｓｔａｔｅ  Ｉｎｆｏｒｍａｔｉｏｎ：ＣＳＩ）が含まれていてもよい。また、上りリンク制御情報には、ＵＬ−ＳＣＨのリソースを要求するために用いられるスケジューリング要求（Ｓｃｈｅｄｕｌｉｎｇ  Ｒｅｑｕｅｓｔ：ＳＲ）が含まれていてもよい。また、上りリンク制御情報には、ＨＡＲＱ−ＡＣＫ（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｅｍｅｎｔ）が含まれてもよい。
【００２０】
ここで、ＨＡＲＱ−ＡＣＫは、下りリンクデータ（Ｔｒａｎｓｐｏｒｔ  ｂｌｏｃｋ、  Ｍｅｄｉｕｍ  Ａｃｃｅｓｓ  ｃｏｎｔｒｏｌ  Ｐｒｏｔｏｃｏｌ  Ｄａｔａ  Ｕｎｉｔ：ＭＡＣ  ＰＤＵ、  Ｄｏｗｎｌｉｎｋ‐Ｓｈａｒｅｄ  Ｃｈａｎｎｅｌ：ＤＬ−ＳＣＨ、  Ｐｈｙｓｉｃａｌ  Ｄｏｗｎｌｉｎｋ  Ｓｈａｒｅｄ  Ｃｈａｎｎｅｌ：ＰＤＳＣＨ）に対するＨＡＲＱ−ＡＣＫを示してもよい。すなわち、ＨＡＲＱ−ＡＣＫは、下りリンクデータに対するＡＣＫ（ａｃｋｎｏｗｌｅｄｇｅｍｅｎｔ、  ｐｏｓｉｔｉｖｅ−ａｃｋｎｏｗｌｅｄｇｍｅｎｔ）またはＮＡＣＫ（ｎｅｇａｔｉｖｅ−ａｃｋｎｏｗｌｅｄｇｅｍｅｎｔ）を示してもよい。ここで、ＨＡＲＱ−ＡＣＫは、ＡＣＫ／ＮＡＣＫ、ＨＡＲＱフィードバック、ＨＡＲＱ応答、ＨＡＲＱ情報、または、ＨＡＲＱ制御情報とも称される。
【００２１】
ＰＵＳＣＨ（物理上りリンク共用チャネル）、および／または、ｓＰＵＳＣＨ（ショート物理上りリンク共用チャネル）は、上りリンクデータ（Ｕｐｌｉｎｋ−Ｓｈａｒｅｄ  Ｃｈａｎｎｅｌ：ＵＬ−ＳＣＨ）を送信するために用いられる。以下の説明において、ＰＵＳＣＨは、ｓＰＵＳＣＨを含んでもよい。また、ＰＵＳＣＨは、上りリンクデータと共にＨＡＲＱ−ＡＣＫおよび／またはＣＳＩを送信するために用いられてもよい。また、ＰＵＳＣＨは、ＣＳＩのみ、または、ＨＡＲＱ−ＡＣＫおよびＣＳＩのみを送信するために用いられてもよい。すなわち、ＰＵＳＣＨは、上りリンク制御情報のみを送信するために用いられてもよい。
【００２２】
ここで、基地局装置３と端末装置１は、上位層（ｈｉｇｈｅｒ  ｌａｙｅｒ）において信号をやり取り（送受信）してもよい。例えば、基地局装置３と端末装置１とは、無線リソース制御（Ｒａｄｉｏ  Ｒｅｓｏｕｒｃｅ  ｃｏｎｔｒｏｌ：ＲＲＣ）層において、ＲＲＣシグナリング（ＲＲＣ  ｍｅｓｓａｇｅ、ＲＲＣ  ｉｎｆｏｒｍａｔｉｏｎとも称される。）を送受信してもよい。また、基地局装置３と端末装置１とは、ＭＡＣ（Ｍｅｄｉｕｍ  Ａｃｃｅｓｓ  Ｃｏｎｔｒｏｌ）層において、ＭＡＣコントロールエレメントをやり取り（送受信）してもよい。ここで、ＲＲＣシグナリング、および／または、ＭＡＣコントロールエレメントを、上位層の信号（ｈｉｇｈｅｒ  ｌａｙｅｒ  ｓｉｇｎａｌｉｎｇ）とも称する。
【００２３】
ここで、本実施形態において、「上位層のパラメータ」、「上位層のメッセージ」、「上位層の信号」、「上位層の情報」、および、「上位層の情報要素」は、同一のものであってもよい。
【００２４】
また、ＰＵＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用（個別）のシグナリング（ｄｅｄｉｃａｔｅｄ  ｓｉｇｎａｌｉｎｇとも称する）であってもよい。すなわち、ユーザー装置スペシフィック（ユーザー装置固有）な情報は、ある端末装置１に対して専用のシグナリングを用いて送信されてもよい。
【００２５】
ＰＲＡＣＨ（物理ランダムアクセスチャネル）、および／または、ｓＰＲＡＣＨ（ショート物理ランダムアクセスチャネル）は、ランダムアクセスプリアンブルを送信するために用いられる。以下の説明において、ＰＲＡＣＨは、ｓＰＲＡＣＨを含んでもよい。例えば、ＰＲＡＣＨ（または、ランダムアクセスプロシージャ）は、端末装置１が、基地局装置３と時間領域の同期を取ることを主な目的として用いられる。また、ＰＲＡＣＨ（または、ランダムアクセスプロシージャ）は、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンク送信に対する同期（タイミング調整）、および、スケジューリング要求（ＰＵＳＣＨリソースの要求、ＵＬ−ＳＣＨリソースの要求）の送信のためにも用いられてもよい。
【００２６】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Ｕｐｌｉｎｋ  Ｒｅｆｅｒｅｎｃｅ  Ｓｉｇｎａｌ：ＵＬ ＲＳ）
【００２７】
本実施形態において、以下の２つのタイプの上りリンク参照信号が用いられる。
・ＤＭＲＳ（Ｄｅｍｏｄｕｌａｔｉｏｎ  Ｒｅｆｅｒｅｎｃｅ  Ｓｉｇｎａｌ）
・ＳＲＳ（Ｓｏｕｎｄｉｎｇ  Ｒｅｆｅｒｅｎｃｅ  Ｓｉｇｎａｌ）
【００２８】
ＤＭＲＳ（復調参照信号）は、ＰＵＳＣＨ、ｓＰＵＳＣＨ、および／または、ＰＵＣＣＨの送信に関連する。すなわち、ＤＭＲＳは、ＰＵＳＣＨ、ｓＰＵＳＣＨ、または、ＰＵＣＣＨと時間多重されてもよい。例えば、基地局装置３は、ＰＵＳＣＨ、ｓＰＵＳＣＨ、または、ＰＵＣＣＨの伝搬路補正を行なうためにＤＭＲＳを使用してもよい。以下、ＰＵＳＣＨとＤＭＲＳを共に送信することを、単にＰＵＳＣＨを送信するとも称する。また、ｓＰＵＳＣＨとＤＭＲＳを共に送信することを、単にｓＰＵＳＣＨを送信するとも称する。また、ＰＵＣＣＨとＤＭＲＳを共に送信することを、単にＰＵＣＣＨを送信するとも称する。
【００２９】
ＳＲＳ（サウンディング参照信号）は、ＰＵＳＣＨまたはＰＵＣＣＨの送信に関連しない。例えば、基地局装置３は、上りリンクのチャネル状態を測定するためにＳＲＳを使用してもよい。
【００３０】
図１において、基地局装置３から端末装置１への下りリンクの無線通信では、以下の下りリンク物理チャネルが用いられる。ここで、下りリンク物理チャネルは、上位層から出力された情報を送信するために使用される。
・ＰＢＣＨ（Ｐｈｙｓｉｃａｌ  Ｂｒｏａｄｃａｓｔ  Ｃｈａｎｎｅｌ）
・ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）
・ＰＨＩＣＨ（Ｐｈｙｓｉｃａｌ  Ｈｙｂｒｉｄ  ａｕｔｏｍａｔｉｃ  ｒｅｐｅａｔ ｒｅｑｕｅｓｔ  Ｉｎｄｉｃａｔｏｒ  Ｃｈａｎｎｅｌ）
・ＰＤＣＣＨ（Ｐｈｙｓｉｃａｌ  Ｄｏｗｎｌｉｎｋ  Ｃｏｎｔｒｏｌ  Ｃｈａｎｎｅｌ）
・ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）
・ｓＰＤＣＣＨ（ｓｈｏｒｔ  Ｐｈｙｓｉｃａｌ  Ｄｏｗｎｌｉｎｋ  Ｃｏｎｔｒｏｌ Ｃｈａｎｎｅｌ）
・ＰＤＳＣＨ（Ｐｈｙｓｉｃａｌ  Ｄｏｗｎｌｉｎｋ  Ｓｈａｒｅｄ  Ｃｈａｎｎｅｌ）
・ｓＰＤＳＣＨ（ｓｈｏｒｔ  Ｐｈｙｓｉｃａｌ  Ｄｏｗｎｌｉｎｋ  Ｓｈａｒｅｄ  Ｃｈａｎｎｅｌ）
・ＰＭＣＨ（Ｐｈｙｓｉｃａｌ  Ｍｕｌｔｉｃａｓｔ  Ｃｈａｎｎｅｌ）
【００３１】
ＰＢＣＨ（物理報知情報チャネル）は、端末装置１で共通に用いられるマスターインフォメーションブロック（Ｍａｓｔｅｒ  Ｉｎｆｏｒｍａｔｉｏｎ  Ｂｌｏｃｋ：ＭＩＢ、
Ｂｒｏａｄｃａｓｔ  Ｃｈａｎｎｅｌ：ＢＣＨ）を報知するために用いられる。
【００３２】
ＰＣＦＩＣＨ（物理制御フォーマット指示チャネル）は、ＰＤＣＣＨの送信に用いられる領域（ＯＦＤＭシンボル）を指示する情報を送信するために用いられる。
【００３３】
ＰＨＩＣＨ（物理ＨＡＲＱ指示チャネル）は、基地局装置３が受信した上りリンクデータ（Ｕｐｌｉｎｋ  Ｓｈａｒｅｄ  Ｃｈａｎｎｅｌ：ＵＬ−ＳＣＨ）に対するＡＣＫ（ＡＣＫｎｏｗｌｅｄｇｅｍｅｎｔ）またはＮＡＣＫ（Ｎｅｇａｔｉｖｅ  ＡＣＫｎｏｗｌｅｄｇｅｍｅｎｔ）を示すＨＡＲＱインディケータ（ＨＡＲＱフィードバック、応答情報、ＨＡＲＱ制御情報）を送信するために用いられる。
【００３４】
ＰＤＣＣＨ（物理下りリンク制御チャネル）、ＥＰＤＣＣＨ（拡張物理下りリンク制御チャネル）、および／または、ｓＰＤＣＣＨ（ショート物理下りリンク制御チャネル）は、下りリンク制御情報（Ｄｏｗｎｌｉｎｋ  Ｃｏｎｔｒｏｌ  Ｉｎｆｏｒｍａｔｉｏｎ：ＤＣＩ）を送信するために用いられる。本実施形態において、ＰＤＣＣＨは、ＥＰＤＣＣＨを含んでもよい。また、ＰＤＣＣＨは、ｓＰＤＣＣＨを含んでもよい。
【００３５】
ここで、ＰＤＣＣＨ、ＥＰＤＣＣＨ、および／または、ｓＰＤＣＣＨで送信される下りリンク制御情報に対して、複数のＤＣＩフォーマットが定義されてもよい。すなわち、下りリンク制御情報に対するフィールドがＤＣＩフォーマットに定義され、情報ビットへマップされてもよい。
【００３６】
ここで、下りリンクに対するＤＣＩフォーマットを、下りリンクのＤＣＩ、下りリンクグラント（ｄｏｗｎｌｉｎｋ  ｇｒａｎｔ、ＤＬ  ｇｒａｎｔ）、および／または、下りリンクアサインメント（ｄｏｗｎｌｉｎｋ  ａｓｓｉｇｎｍｅｎｔ）とも称する。また、上りリンクに対するＤＣＩフォーマットを、上りリンクのＤＣＩ、上りリンクグラント（ｕｐｌｉｎｋ  ｇｒａｎｔ、ＵＬ  ｇｒａｎｔ）、および／または、上りリンクアサインメント（Ｕｐｌｉｎｋ  ａｓｓｉｇｎｍｅｎｔ）とも称する。
【００３７】
例えば、少なくともｓＰＤＳＣＨおよび／またはｓＰＤＣＣＨに対する周波数リソースの割り当てに関連する情報（例えば、ｓＰＤＳＣＨ、および／または、ｓＰＤＣＣＨに対する物理リソースブロックの割り当てに関連する情報）が含まれるＤＣＩフォーマット（以下、第１のＤＬグラント、第１のＤＬ  ＤＣＩとも記載する）が下りリンクアサインメントとして定義されてもよい。すなわち、第１のＤＬグラントには、ＤＬｓＴＴＩバンド帯域幅（ｓＴＴＩ  ｂａｎｄｗｉｄｔｈ）を割り当てる情報が含まれてもよい。割り当てられるｓＴＴＩ送受信用の周波数リソースは、ｓＴＴＩバンドとも称してもよい。すなわち、第１のＤＬグラントは、少なくともｓＰＤＳＣＨおよび／またはｓＰＤＣＣＨのスケジューリングに用いられてもよい。ここで、第１のＤＬグラントには、キャリアインディケータフィールド（Ｃａｒｒｉｅｒ  Ｉｎｄｉｃａｔｏｒ  Ｆｉｅｌｄ：ＣＩＦ）が含まれてもよい。
【００３８】
例えば、第１のＤＬグラントには、スケジュールされるｓＰＤＳＣＨおよび／またはスケジュールされるｓＰＤＣＣＨに対する帯域幅に関連する情報が含まれてもよい。すなわち、第１のＤＬグラントには、ｓＰＤＳＣＨでの送信に対する、スケジュールされる帯域幅に関連する情報および／またはｓＰＤＣＣＨでの送信に対するスケジュールされる帯域幅に関連する情報が含まれてもよい。
【００３９】
例えば、第１のＤＬグラントには、スケジュールされるｓＰＤＳＣＨおよび／またはスケジュールされるｓＰＤＣＣＨに対する物理リソースブロックの開始位置（および／または、終了位置、例えば、開始位置からの長さ）に関連する情報が含まれてもよい。また、第１のＤＬグラントには、スケジュールされるｓＰＤＳＣＨおよび／またはスケジュールされるｓＰＤＣＣＨに対する物理リソースブロックを指示するための情報が含まれてもよい。
【００４０】
ここで、第１のＤＬグラントを用いて送信される情報（一部または全ての情報）は、上位層の信号（例えば、ＭＡＣ層における信号および／またはＲＲＣ層における信号）を用いて送信されてもよい。以下、第１のＤＬグラントを用いて情報が送信されることを記載するが、第１のＤＬグラントを用いて送信される情報は、上位層の信号を用いて送信されてもよい。
【００４１】
ここで、第１のＤＬグラントは、複数の端末装置１に対して共通なＤＣＩ（ＤＬグラント、Ｃｏｍｍｏｎ  ＤＬ  ｇｒａｎｔ、Ｎｏｎ−ＵＥ  ｓｐｅｃｉｆｉｃ  ＤＬ  ｇｒａｎｔ）として定義されてもよい。すなわち、第１のＤＬグラントは、後述するコモンサーチスペースのみにおいて送信されてもよい。また、第１のＤＬグラントは、ＰＤＣＣＨおよび／またはＥＰＤＣＣＨのみで送信されてもよい。
【００４２】
また、第１のＤＬグラントに付加されるＣＲＣパリティビットが、後述するＲＮＴＩによってスクランブルされてもよい。ここで、第１のＤＬグラントに付加されるＣＲＣパリティビットは、第１のＤＬ−ＲＮＴＩによってスクランブルされてもよい。また、第１のＤＬグラントが送信されるサーチスペース（例えば、コモンサーチスペース）は、少なくとも第１のＤＬ−ＲＮＴＩによって与えられてもよい。
【００４３】
また、第１のＤＬグラントは、ある１つのサブフレームに対する設定を規定するために用いられてもよい。すなわち、第１のＤＬグラントは、ある１つのサブフレームにおいて共通に用いられる設定を指示するために用いられてもよい。すなわち、第１のＤＬグラントを用いて指示される設定は、１つまたは複数のサブフレーム毎に対して有効であってもよい。すなわち、第１のＤＬグラントは、サブフレームスペシフィックのＤＬグラント（ａ  ｓｕｂ−ｆｒａｍｅ ｓｐｅｃｉｆｉｃ  ＤＬ  ｇｒａｎｔ）であってもよい。
【００４４】
また、下りリンクアサインメントとして、少なくともＰＤＳＣＨおよび／またはｓＰＤＳＣＨに対する時間リソースの割り当てに関する情報が含まれるＤＣＩフォーマット（以下、第２のＤＬグラント、第２のＤＬ  ＤＣＩとも記載する）が定義されてもよい。例えば、第２のＤＬグラントには、ＰＤＳＣＨおよび／またはｓＰＤＳＣＨでの送信に対する送信時間間隔（Ｔｒａｎｓｍｉｓｓｉｏｎ  Ｔｉｍｅ  Ｉｎｔｅｒｖａｌ：ＴＴＩ）の割り当てに関連する情報および／またはショート送信時間間隔（ｓｈｏｒｔ  Ｔｒａｎｓｍｉｓｓｉｏｎ  Ｔｉｍｅ  Ｉｎｔｅｒｖａｌ：ｓＴＴＩ）の割り当てに関連する情報が含まれてもよい。すなわち、第２のＤＬグラントは、少なくともｓＰＤＳＣＨのスケジューリングに用いられてもよい。
なお、第２のＤＬグラントがＰＤＳＣＨを割り当てる場合、該ＰＤＳＣＨは、第２のＤＬグラントと異なる周波数で送信されるＰＤＳＣＨであってもよい。
【００４５】
例えば、第２のＤＬグラントには、スケジュールされるＰＤＳＣＨおよび／またはスケジュールされるｓＰＤＳＣＨに対する送信時間間隔の長さに関連する情報が含まれてもよい。また、第２のＤＬグラントには、スケジュールされるｓＰＤＳＣＨに対する周波数リソースの割り当てに関する情報が含まれてもよい。また、第２のＤＬグラントには、スケジュールされるｓＰＤＳＣＨと共に送信されるＤＭＲＳの位置に関連する情報が含まれてもよい。また、第２のＤＬグラントには、スケジュールされるＰＤＳＣＨと共に送信されるＤＭＲＳの位置に関連する情報が含まれてもよい。
【００４６】
また、第２のＤＬグラントには、スケジュールされるＰＤＳＣＨと共に送信されるＤＭＲＳに関する情報（例えば、ＤＭＲＳのサイクリックシフトに関する情報）が含まれてもよい。また、第２のＤＬグラントには、スケジュールされるｓＰＤＳＣＨと共に送信されるＤＭＲＳに関する情報（例えば、ＤＭＲＳのサイクリックシフトに関する情報）が含まれてもよい。
【００４７】
また、第２のＤＬグラントには、第２のＤＬグラントの受信（検出）に基づく、ＰＤＳＣＨでの送信および／またはｓＰＤＳＣＨでの送信に対するプリコーディング（Ｐｒｅｃｏｄｉｎｇ）とレイヤー数に関する情報が含まれてもよい。また、第２のＤＬグラントには、スケジュールされるＰＤＳＣＨおよび／またはスケジュールされるｓＰＤＳＣＨに対するＭＣＳに関する情報が含まれてもよい。また、第２のＤＬグラントには、スケジュールされるＰＤＳＣＨおよび／またはスケジュールされるｓＰＤＳＣＨに対するリダンダンシーバージョンに関する情報が含まれてもよい。また、第２のＤＬグラントには、スケジュールされるＰＤＳＣＨおよび／またはスケジュールされるｓＰＤＳＣＨでの送信のフィードバックに対するｓＰＵＣＣＨの送信電力制御コマンドに関する情報が含まれてもよい。
【００４８】
ここで、第２のＤＬグラントは、ある１つの端末装置１に対して専用のＤＣＩ（ＤＬグラント、ＵＥ−ｓｐｅｃｉｆｉｃ  ＤＬ  ｇｒａｎｔ）として定義されてもよい。すなわち、第２のＤＬグラントは、後述するＵＥスペシフィックスペースのみにおいて送信されてもよい。また、第２のＤＬグラントは、ＰＤＣＣＨおよび／またはｓＰＤＣＣＨで送信されてもよい。
【００４９】
また、第２のＤＬグラントに付加されるＣＲＣパリティビットは、後述するＲＮＴＩによってスクランブルされてもよい。ここで、第２のＤＬグラントに付加されるＣＲＣパリティビットは、第２のＤＬ−ＲＮＴＩによってスクランブルされてもよい。また、第２のＤＬグラントが送信されるサーチスペース（例えば、ユーザー装置スペシフィックサーチスペース）は、少なくとも第２のＤＬ−ＲＮＴＩによって与えられてもよい。
【００５０】
また、第２のＤＬグラントは、ある１つの送信時間間隔に対する設定を規定するために用いられてもよい。すなわち、第２のＤＬグラントは、ある１つの送信時間間隔において用いられる設定を指示するために用いられてもよい。すなわち、第２のＤＬグラントを用いて指示される設定は、１つの送信時間間隔に対して有効であってもよい。すなわち、第２のＤＬグラントは、送信時間間隔スペシフィックのＤＬグラント（ａ  ＴＴＩ  ｓｐｅｃｉｆｉｃ  ＤＬ  ｇｒａｎｔ）であってもよい。
【００５１】
ここで、上述したように、第１のＤＬグラントは、第２のＤＬグラントが送信されるｓＰＤＣＣＨのスケジューリングに用いられてもよい。例えば、端末装置１は、第１のＤＬグラントを受信（検出）することによって、第２のＤＬグラントを受信（検出）してもよい。また、端末装置１は、第１のＤＬグラントが送信されるＰＤＣＣＨおよび／またはＥＰＤＣＣＨをモニタ（デコード、検出）することによって、第２のＤＬグラントが送信されるＰＤＣＣＨおよび／またはｓＰＤＣＣＨをモニタ（デコード、検出）してもよい。
【００５２】
ここで、第１のＤＬグラントが送信されるＰＤＣＣＨおよび／またはＥＰＤＣＣＨは、端末装置１によるモニタリングによって検出され、第２のＤＬグラントが送信されるＰＤＣＣＨおよび／またはｓＰＤＣＣＨ（ＰＤＣＣＨ、ＥＰＤＣＣＨおよび／またはｓＰＤＣＣＨの周波数リソース）は、直接的に指示されてもよい（例えば、第１のＤＬグラントに含まれる情報によって、直接的に指示されてもよい）。すなわち、第２のＤＬグラントが送信されるＰＤＣＣＨ、ＥＰＤＣＣＨおよび／またはｓＰＤＣＣＨは、端末装置１によってモニタされなくてもよい。
【００５３】
また、下りリンクアサインメントとして、１つのセルにおける１つのＰＤＳＣＨのスケジューリングのために用いられるＤＣＩフォーマット（例えば、ＤＣＩフォーマット１、ＤＣＩフォーマット１Ａ、以下、第３のＤＬグラント、第３のＤＬ  ＤＣＩとも記載する）が定義されてもよい。ここで、第３のＤＬグラントは、該下りリンクグラントが送信されたサブフレームと同じサブフレーム内のＰＤＳＣＨのスケジューリングに用いられる。
ここで、第１のＤＬグラントは、該下りリンクグラントが送信されたサブフレームと同じサブフレーム内および／または異なる複数のサブフレーム内のｓＴＴＩ送信に関連する情報を含んでもよい。
【００５４】
例えば、第３のＤＬグラントには、キャリアインディケータフィールド（Ｃａｒｒｉｅｒ  Ｉｎｄｉｃａｔｏｒ  Ｆｉｅｌｄ：ＣＩＦ）スケジュールされるＰＤＳＣＨのフィードバックに対する送信電力コマンド（ＴＰＣコマンド）に関する情報（ＴＰＣ  ｃｏｍｍａｎｄ  ｆｏｒ  ｓｃｈｅｄｕｌｅｄ  ＰＵＣＣＨ）、ＭＣＳおよび／またはリダンダンシーバージョンに関する情報（Ｍｏｄｕｌａｔｉｏｎ  ａｎｄ  ｃｏｄｉｎｇ  ｓｃｈｅｍｅ  ａｎｄ/ｏｒ  ｒｅｄｕｎｄａｎｃｙ  ｖｅｒｓｉｏｎ）、リソースブロック割り当ておよび／またはホッピングリソース割り当てに関する情報（Ｒｅｓｏｕｒｃｅ  ｂｌｏｃｋ  ａｓｓｉｇｎｍｅｎｔ  ａｎｄ/ｏｒ  ｈｏｐｐｉｎｇ  ｒｅｓｏｕｒｃｅ  ａｌｌｏｃａｔｉｏｎ）、および／または、ＳＲＳ送信のリクエストに関する情報（ＳＲＳ ｒｅｑｕｅｓｔ）などの下りリンク制御情報が含まれてもよい。
【００５５】
ここで、第３のＤＬグラントは、複数の端末装置１に対して共通なＤＣＩおよび／またはある１つの端末装置１に対して専用のＤＣＩとして定義されてもよい。すなわち、第３のＤＬグラントは、コモンサーチスペースおよび／またはユーザー装置スペシフィックサーチスペースにおいて送信されてもよい。また、第３のＤＬグラントは、ＰＤＣＣＨおよび／またはＥＰＤＣＣＨで送信されてもよい。また、第３のＤＬグラントに付加されるＣＲＣパリティビットが、後述するＲＮＴＩによってスクランブルされてもよい。
【００５６】
また、第３のＤＬグラントは、ある１つのサブフレームに対する設定を規定するために用いられてもよい。すなわち、第３のＤＬグラントは、ある１つのサブフレームにおいて共通に用いられる設定を指示するために用いられてもよい。すなわち、第３のＤＬグラントを用いて指示される設定は、１つのサブフレーム毎に対して有効であってもよい。すなわち、第３のＤＬグラントは、サブフレームスペシフィックのＤＬグラントであってもよい。
【００５７】
以下の説明において、下りリンクアサインメントは、第１のＤＬグラント、第２のＤＬグラント、および／または、第３のＤＬグラント、を含んでもよい。また、ＤＣＩフォーマットは、第１のＤＬグラント、第２のＤＬグラント、および／または、第３のＤＬグラントを含んでもよい。
【００５８】
また、上りリンクグラントとして、１つのセルにおける１つのＰＵＳＣＨのスケジューリングのために用いられるＤＣＩフォーマット（例えば、ＤＣＩフォーマット０、および／または、ＤＣＩフォーマット４）が定義されてもよい。
【００５９】
また、上りリンクグラントとして、後述する、ランダムアクセスプロシージャにおいてＰＵＳＣＨのスケジューリングのために用いられるランダムアクセスレスポンスグラントが定義されてもよい。
【００６０】
例えば、ランダムアクセスレスポンスグラントには、ＰＵＳＣＨに対する周波数リソースの割り当てに関連する情報が含まれてもよい。例えば、ランダムアクセスレスポンスグラントには、スケジュールされるＰＵＳＣＨに対する帯域幅に関連する情報が含まれてもよい。すなわち、ランダムアクセスレスポンスグラントには、ＰＵＳＣＨでの送信に対する、スケジュールされる帯域幅に関連する情報が含まれてもよい。
【００６１】
例えば、ランダムアクセスレスポンスグラントには、スケジュールされるＰＵＳＣＨに対する物理リソースブロックの開始位置（および／または、終了位置、例えば、開始位置からの長さ）に関連する情報が含まれてもよい。また、ランダムアクセスレスポンスグラントには、スケジュールされるＰＵＳＣＨに対する物理リソースブロックを指示するための情報が含まれてもよい。
【００６２】
また、ランダムアクセスレスポンスグラントは、スケジュールされるＰＵＳＣＨに対する送信電力コマンドに関する情報が含まれてもよい。また、ランダムアクセスレスポンスグラントは、ＰＵＳＣＨでの送信を次の利用可能な上りリンクのサブフレームに延期するかどうかを指示するために用いられる情報（ＵＬ  ｄｅｌａｙ）が含まれてもよい。また、ランダムアクセスレスポンスグラントには、ＣＳＩ送信のリクエストに関する情報が含まれてもよい。
【００６３】
ここで、ランダムアクセスレスポンスグラントは、ＰＤＳＣＨで送信されてもよい。例えば、ランダムアクセスレスポンスグラントは、後述する、ＲＡ−ＲＮＴＩによってスクランブルされたＣＲＣパリティビットが付加されたＤＣＩフォーマット（ＲＡ−ＲＮＴＩを伴うＰＤＣＣＨ）を用いてスケジュールされたＰＤＳＣＨで送信されてもよい。
【００６４】
また、ランダムアクセスレスポンスグラントは、ある１つのサブフレームに対する設定を規定するために用いられてもよい。すなわち、ランダムアクセスレスポンスグラントは、ある１つのサブフレームにおいて共通に用いられる設定を指示するために用いられてもよい。すなわち、ランダムアクセスレスポンスグラントを用いて指示される設定は、１つのサブフレーム毎に対して有効であってもよい。すなわち、ランダムアクセスレスポンスグラントは、サブフレームスペシフィックのＵＬグラントであってもよい。
【００６５】
ここで、端末装置１は、下りリンクアサインメントを用いてＰＤＳＣＨのリソースがスケジュールされた場合には、スケジューリングに基づき、ＰＤＳＣＨで下りリンクデータを受信してもよい。また、端末装置１は、下りリンクアサインメントを用いてｓＰＤＳＣＨのリソースがスケジュールされた場合には、スケジューリングに基づき、ｓＰＤＳＣＨで下りリンクデータを受信してもよい。また、端末装置１は、上りリンクグラントを用いてＰＵＳＣＨのリソースがスケジュールされた場合には、スケジューリングに基づき、ＰＵＳＣＨで上りリンクデータおよび／または上りリンク制御情報を送信してもよい。また、端末装置１は、上りリンクグラントを用いてｓＰＵＳＣＨのリソースがスケジュールされた場合には、スケジューリングに基づき、ｓＰＵＳＣＨで上りリンクデータおよび／または上りリンク制御情報を送信してもよい。
【００６６】
また、端末装置１は、ＰＤＣＣＨ候補（ＰＤＣＣＨ  ｃａｎｄｉｄａｔｅｓ）、ＥＰＤＣＣＨ候補（ＥＰＤＣＣＨ  ｃａｎｄｉｄａｔｅｓ）、および／または、ｓＰＤＣＣＨ候補（ｓＰＤＣＣＨ  ｃａｎｄｉｄａｔｅｓ）のセットをモニタしてもよい。以下、ＰＤＣＣＨは、ＥＰＤＤＣＨおよび／またはｓＰＤＣＣＨを含んでもよい。
【００６７】
ここで、ＰＤＣＣＨ候補とは、基地局装置３によって、ＰＤＣＣＨが、配置および／または送信される可能性のある候補を示していてもよい。また、モニタとは、モニタされる全てのＤＣＩフォーマットに応じて、ＰＤＣＣＨ候補のセット内のＰＤＣＣＨのそれぞれに対して、端末装置１がデコードを試みるという意味が含まれてもよい。
【００６８】
ここで、端末装置１が、モニタするＰＤＣＣＨ候補のセットは、サーチスペースとも称される。サーチスペースには、コモンサーチスペース（Ｃｏｍｍｏｎ  Ｓｅａｒｃｈ  Ｓｐａｃｅ：ＣＳＳ）が含まれてもよい。例えば、コモンサーチスペースは、複数の端末装置１に対して共通なスペースとして定義されてもよい。
【００６９】
また、サーチスペースには、ユーザー装置スペシフィックサーチスペース（ＵＥ‐ｓｐｅｃｉｆｉｃ  Ｓｅａｒｃｈ  Ｓｐａｃｅ：ＵＳＳ）が含まれてもよい。例えば、ユーザー装置スペシフィックサーチスペースは、少なくとも、端末装置１に対して割り当てられるＣ−ＲＮＴＩに基づいて与えられてもよい。端末装置１は、コモンサーチスペース、および／または、ユーザー装置スペシフィックサーチスペースにおいて、ＰＤＣＣＨをモニタし、自装置宛てのＰＤＣＣＨを検出してもよい。
【００７０】
また、下りリンク制御情報の送信（ＰＤＣＣＨでの送信）には、基地局装置３が、端末装置１に割り当てたＲＮＴＩが利用されてもよい。具体的には、ＤＣＩフォーマット（下りリンク制御情報でもよい）にＣＲＣ（Ｃｙｃｌｉｃ  Ｒｅｄｕｎｄａｎｃｙ  ｃｈｅｃｋ：巡回冗長検査）パリティビットが付加され、付加された後に、ＣＲＣパリティビットがＲＮＴＩによってスクランブルされてもよい。ここで、ＤＣＩフォーマットに付加されるＣＲＣパリティビットは、ＤＣＩフォーマットのペイロードから得られてもよい。
【００７１】
ここで、本実施形態において、「ＣＲＣパリティビット」、「ＣＲＣビット」、および、「ＣＲＣ」は同一のであってもよい。また、「ＣＲＣパリティビットが付加されたＤＣＩフォーマットが送信されるＰＤＣＣＨ」、「ＣＲＣパリティビットを含み、且つ、ＤＣＩフォーマットを含むＰＤＣＣＨ」、「ＣＲＣパリティビットを含むＰＤＣＣＨ」、および、「ＤＣＩフォーマットを含むＰＤＣＣＨ」は、同一であってもよい。また、「Ｘを含むＰＤＣＣＨ」、および、「ＸをともなうＰＤＣＣＨ」は、同一であってもよい。端末装置１は、ＤＣＩフォーマットをモニタしてもよい。また、端末装置１は、ＤＣＩをモニタしてもよい。また、端末装置１は、ＰＤＣＣＨをモニタしてもよい。
【００７２】
端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも称される）。すなわち、端末装置１は、ＲＮＴＩによってスクランブルされたＣＲＣを伴うＰＤＣＣＨを検出してもよい。また、端末装置１は、ＲＮＴＩによってスクランブルされたＣＲＣパリティビットが付加されたＤＣＩフォーマットを伴うＰＤＣＣＨを検出してもよい。
【００７３】
ここで、ＲＮＴＩには、Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）が含まれてもよい。例えば、Ｃ−ＲＮＴＩは、ＲＲＣ接続およびスケジューリングの識別に対して使用される、端末装置１に対するユニークな（一意的な）識別子であってもよい。また、Ｃ−ＲＮＴＩは、動的（ｄｙｎａｍｉｃａｌｌｙ）にスケジュールされるユニキャスト送信のために利用されてもよい。
【００７４】
また、ＲＮＴＩには、ＳＰＳ  Ｃ−ＲＮＴＩ（Ｓｅｍｉ−Ｐｅｒｓｉｓｔｅｎｔ  Ｓｃｈｅｄｕｌｉｎｇ  Ｃ−ＲＮＴＩ）が含まれてもよい。例えば、ＳＰＳ  Ｃ−ＲＮＴＩは、セミパーシステントスケジューリングに対して使用される、端末装置１に対するユニークな（一意的な）識別子である。また、ＳＰＳ  Ｃ−ＲＮＴＩは、半持続的（ｓｅｍｉ−ｐｅｒｓｉｓｔｅｎｔｌｙ）にスケジュールされるユニキャスト送信のために利用されてもよい。ここで、半持続的にスケジュールされる送信とは、周期的（ｐｅｒｉｏｄｉｃａｌｌｙ）にスケジュールされる送信の意味が含まれてもよい。
【００７５】
また、ＲＮＴＩには、ＲＡ−ＲＮＴＩ（Ｒａｎｄｏｍ  Ａｃｃｅｓｓ  ＲＮＴＩ）が含まれてもよい。例えば、ＲＡ−ＲＮＴＩは、ランダムアクセスレスポンスメッセージの送信に対して使用される識別子であってもよい。すなわち、ＲＡ−ＲＮＴＩは、ランダムアクセスプロシージャにおいて、ランダムアクセスレスポンスメッセージの送信のために利用されてもよい。例えば、端末装置１は、ランダムアクセスプリアンブルを送信した場合において、ＲＡ−ＲＮＴＩによってスクランブルされたＣＲＣを伴うＰＤＣＣＨをモニタしてもよい。また、端末装置１は、ＲＡ−ＲＮＴＩによってスクランブルされたＣＲＣを伴うＰＤＣＣＨの検出に基づいて、ＰＤＳＣＨでランダムアクセスレスポンスを受信してもよい。
【００７６】
また、ＲＮＴＩには、Ｔｅｍｐｏｒａｒｙ  Ｃ−ＲＮＴＩが含まれてもよい。例えば、Ｔｅｍｐｏｒａｒｙ  Ｃ−ＲＮＴＩは、コンテンションベースのランダムアクセスプロシージャの間において用いられる、端末装置１によって送信されたプリアンブルに対するユニークな（一意的な）識別子であってもよい。また、Ｔｅｍｐｏｒａｒｙ  Ｃ−ＲＮＴＩは、動的（ｄｙｎａｍｉｃａｌｌｙ）にスケジュールされる送信のために利用されてもよい。
【００７７】
また、ＲＮＴＩには、Ｐ−ＲＮＴＩ（Ｐａｇｉｎｇ  ＲＮＴＩ）が含まれてもよい。例えば、Ｐ−ＲＮＴＩは、ページングおよびシステム情報の変化の通知に使用される識別子であってもよい。例えば、Ｐ−ＲＮＴＩは、ページングおよびシステム情報メッセージの送信のために利用されてもよい。例えば、端末装置１は、Ｐ−ＲＮＴＩによってスクランブルされたＣＲＣを伴うＰＤＣＣＨの検出に基づいて、ＰＤＳＣＨでページングを受信してもよい。
【００７８】
また、ＲＮＴＩには、ＳＩ−ＲＮＴＩ（Ｓｙｓｔｅｍ  Ｉｎｆｏｒｍａｔｉｏｎ  ＲＮＴＩ）が含まれてもよい。例えば、ＳＩ−ＲＮＴＩは、システム情報のブロードキャストに使用される識別子であってもよい。例えば、ＳＩ−ＲＮＴＩは、システム情報メッセージの送信のために利用されてもよい。例えば、端末装置１は、ＳＩ−ＲＮＴＩによってスクランブルされたＣＲＣを伴うＰＤＣＣＨの検出に基づいて、ＰＤＳＣＨでシステム情報メッセージを受信してもよい。
【００７９】
ここで、Ｃ−ＲＮＴＩによってスクランブルされたＣＲＣを伴うＰＤＣＣＨは、ＵＳＳまたはＣＳＳにおいて送信されても良い。また、ＲＡ−ＲＮＴＩによってスクランブルされたＣＲＣを伴うＰＤＣＣＨは、ＣＳＳのみにおいて送信されても良い。また、Ｐ−ＲＮＴＩによってスクランブルされたＣＲＣを伴うＰＤＣＣＨは、ＣＳＳのみにおいて送信されても良い。また、ＳＩ−ＲＮＴＩによってスクランブルされたＣＲＣを伴うＰＤＣＣＨは、ＣＳＳのみにおいて送信されても良い。また、Ｔｅｍｐｏｒａｒｙ  Ｃ−ＲＮＴＩによってスクランブルされたＣＲＣを伴うＰＤＣＣＨは、ＣＳＳのみにおいて送信されても良い。
【００８０】
ＰＤＳＣＨ、および／または、ｓＰＤＳＣＨは、下りリンクデータ（Ｄｏｗｎｌｉｎｋ Ｓｈａｒｅｄ  Ｃｈａｎｎｅｌ：ＤＬ−ＳＣＨ）を送信するために用いられる。また、ＰＤＳＣＨは、ランダムアクセスレスポンスグラントを送信するために用いられてもよい。ここで、ランダムアクセスレスポンスグラントは、ランダムアクセスプロシージャにおいて、ＰＵＳＣＨのスケジューリングに使用される。また、ランダムアクセスレスポンスグラントは、上位層（例えば、ＭＡＣ層）によって物理層へ指示される。
【００８１】
また、ＰＤＳＣＨは、システムインフォメーションメッセージを送信するために用いられる。ここで、システムインフォメーションブメッセージは、セルスペシフィック（セル固有）な情報であってもよい。また、システムインフォメーションは、ＲＲＣシグナリングに含まれてもよい。また、ＰＤＳＣＨは、ＲＲＣシグナリング、および、ＭＡＣコントロールエレメントを送信するために用いられてもよい。
【００８２】
ＰＭＣＨは、マルチキャストデータ（Ｍｕｌｔｉｃａｓｔ  Ｃｈａｎｎｅｌ：ＭＣＨ）を送信するために用いられる。
【００８３】
図１において、下りリンクの無線通信では、以下の下りリンク物理信号が用いられる。ここで、下りリンク物理信号は、上位層から出力された情報を送信するために使用されないが、物理層によって使用される。
・同期信号（Ｓｙｎｃｈｒｏｎｉｚａｔｉｏｎ  ｓｉｇｎａｌ：ＳＳ）
・下りリンク参照信号（Ｄｏｗｎｌｉｎｋ  Ｒｅｆｅｒｅｎｃｅ  Ｓｉｇｎａｌ：ＤＬ  ＲＳ）
【００８４】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００８５】
下りリンク参照信号は、端末装置１が下りリンク物理チャネルの伝搬路補正を行なうために用いられる。ここで、下りリンク参照信号は、端末装置１が下りリンクのチャネル状態情報を算出するために用いられる。
【００８６】
本実施形態において、以下の５つのタイプの下りリンク参照信号が用いられる。
・ＣＲＳ（Ｃｅｌｌ−ｓｐｅｃｉｆｉｃ  Ｒｅｆｅｒｅｎｃｅ  Ｓｉｇｎａｌ）
・ＰＤＳＣＨおよび／またはｓＰＤＳＣＨに関連するＵＲＳ（ＵＥ‐ｓｐｅｃｉｆｉｃ  Ｒｅｆｅｒｅｎｃｅ  Ｓｉｇｎａｌ）
・ＰＤＣＣＨ、ＥＰＤＣＣＨおよび／またはｓＰＤＣＣＨに関連するＤＭＲＳ（Ｄｅｍｏｄｕｌａｔｉｏｎ  Ｒｅｆｅｒｅｎｃｅ  Ｓｉｇｎａｌ）
・ＮＺＰ  ＣＳＩ−ＲＳ（Ｎｏｎ−Ｚｅｒｏ  Ｐｏｗｅｒ  Ｃｈａｎｅｌ  Ｓｔａｔｅ Ｉｎｆｏｒｍａｔｉｏｎ−Ｒｅｆｅｒｅｎｃｅ  Ｓｉｇｎａｌ）
・ＺＰ  ＣＳＩ−ＲＳ（Ｚｅｒｏ  Ｐｏｗｅｒ  Ｃｈａｎｅｌ  Ｓｔａｔｅ  Ｉｎｆｏｒｍａｔｉｏｎ−Ｒｅｆｅｒｅｎｃｅ  Ｓｉｇｎａｌ）
・ＭＢＳＦＮ  ＲＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ  ｏｖｅｒ  Ｓｉｎｇｌｅ  Ｆｒｅｑｕｅｎｃｙ  Ｎｅｔｗｏｒｋ  Ｒｅｆｅｒｅｎｃｅ  ｓｉｇｎａｌ）
・ＰＲＳ（Ｐｏｓｉｔｉｏｎｉｎｇ  Ｒｅｆｅｒｅｎｃｅ  Ｓｉｇｎａｌ）
ここで、ＰＤＳＣＨおよび／またはｓＰＤＳＣＨを復調するためのＵＲＳは、ＤＭＲＳとも称してもよい。即ち、ＰＤＳＣＨおよび／またはｓＰＤＳＣＨに復調するためのＤＭＲＳは、ＰＤＣＣＨ、ＥＰＤＣＣＨおよび／またはｓＰＤＣＣＨに関連するＤＭＲＳと同じであってもよい。また、ＰＤＳＣＨおよび／またはｓＰＤＳＣＨに復調するためのＤＭＲＳは、ＰＤＣＣＨ、ＥＰＤＣＣＨおよび／またはｓＰＤＣＣＨに関連するＤＭＲＳと異なってもよい。
【００８７】
ここで、下りリンク物理チャネルおよび下りリンク物理信号を総称して、下りリンク信号とも称する。また、上りリンク物理チャネルおよび上りリンク物理信号を総称して、上りリンク信号とも称する。下りリンク物理チャネルおよび上りリンク物理チャネルを総称して、物理チャネルとも称する。下りリンク物理信号および上りリンク物理信号を総称して、物理信号とも称する。
【００８８】
ＢＣＨ、ＭＣＨ、ＵＬ−ＳＣＨおよびＤＬ−ＳＣＨは、トランスポートチャネルである。媒体アクセス制御（Ｍｅｄｉｕｍ  Ａｃｃｅｓｓ  Ｃｏｎｔｒｏｌ：ＭＡＣ）層で用いられるチャネルをトランスポートチャネルと称する。ＭＡＣ層で用いられるトランスポートチャネルの単位を、トランスポートブロック（ｔｒａｎｓｐｏｒｔ  ｂｌｏｃｋ：ＴＢ）またはＭＡＣ  ＰＤＵ（Ｐｒｏｔｏｃｏｌ  Ｄａｔａ  Ｕｎｉｔ）とも称する。ＭＡＣ層においてトランスポートブロック毎にＨＡＲＱ（Ｈｙｂｒｉｄ  Ａｕｔｏｍａｔｉｃ  Ｒｅｐｅａｔ  ｒｅＱｕｅｓｔ）の制御が行なわれる。トランスポートブロックは、ＭＡＣ層が物理層に渡す（ｄｅｌｉｖｅｒ）データの単位である。物理層において、トランスポートブロックはコードワードにマップされ、コードワード毎に符号化処理が行なわれる。
【００８９】
図２は、本発明の第１の実施形態に係る下りリンクデータの送信方法の一例を示す概略図である。
１つのサブフレームは、２つの連続するスロット（１ｓｔスロット、２ｎｄスロット）から構成される。また、１つのスロットは、７つのＯＦＤＭシンボル（下りリンク）、または、７つのＳＣ−ＦＤＭＡシンボル（上りリンク）から構成される。
【００９０】
図示する例は、下りリンクデータの送信方法を示し、基地局装置３は、端末装置１に対して、１つのサブフレームにおいて所定のセルの周波数、所定のセルの周波数帯域幅で、所定の時間でＰＤＣＣＨ１００Ａでの送信とＰＤＳＣＨ１０１Ａでの送信とを行ってもよい。基地局装置３は、ＰＤＳＣＨ１０１Ａでの送信される所定のセルの周波数、所定のセルの周波数帯域幅で、所定の時間の一部又は全部において、１つまたは複数のｓＰＤＣＣＨでの送信と１つまたは複数のｓＰＤＳＣＨでの送信とを行ってもよい。
ここで、１つのサブフレームは、所定の送信時間間隔（ＴＴＩ）を用いて送信されてもよい。以下の説明において、ＴＴＩを用いるトランスミッションモードをＰＤＳＣＨに対するトランスミッションモード（ＴＴＩ  ｍｏｄｅ）とも称する。
【００９１】
基地局装置３は、ＰＤＳＣＨでの送信が行われる所定のセルの周波数、所定のセルの周波数帯域幅で、所定の時間の一部又は全部における１つのｓＰＤＣＣＨでの送信と１つのｓＰＤＳＣＨでの送信とを、所定のショート送信時間間隔（ｓＴＴＩ）を用いて送信してもよい。以下の説明において、ｓＴＴＩを用いるトランスミッションモードをＳＰＤＳＣＨに対するトランスミッションモード（ｓＴＴＩ  ｍｏｄｅ）とも称する。
なお、基地局装置３は、ｓＰＤＣＣＨでの送信がｓＴＴＩを用いて送信されてもよいし、ｓＰＤＳＣＨでの送信がｓＴＴＩを用いて送信されてもよい。ここで、ＴＴＩ、ｓＴＴＩを長さで表すときには、ＴＴＩ  ｌｅｎｇｔｈ、ｓＴＴＩ  ｌｅｎｇｔｈと称する。ＴＴＩ  ｌｅｎｇｔｈ、ｓＴＴＩ  ｌｅｎｇｔｈのそれぞれは、シンボル数で定義されてもよいし、時間長で定義されてもよい。
【００９２】
例えば、基地局装置３は、ｓＴＴＩ  ｌｅｎｇｔｈ１１９Ａのうち、ｓＰＤＣＣＨ  ｌｅｎｇｔｈ１１１ＡのｓＰＤＣＣＨ１０２Ａを送信し、ｓＰＤＳＣＨ  ｌｅｎｇｔｈ１１２ＡのｓＰＤＳＣＨ１０３Ａを送信してもよい。また、例えば、基地局装置３は、ｓＴＴＩ  ｌｅｎｇｔｈ１２０Ａのうち、ｓＰＤＣＣＨ  ｌｅｎｇｔｈ１１３ＡのｓＰＤＣＣＨ１０４Ａを送信し、ｓＰＤＳＣＨ  ｌｅｎｇｔｈ１１４ＡのｓＰＤＳＣＨ１０５Ａを送信してもよい。
また、例えば、基地局装置３は、ｓＴＴＩ  ｌｅｎｇｔｈ１２１Ａのうち、ｓＰＤＣＣＨ  ｌｅｎｇｔｈ１１５ＡのｓＰＤＣＣＨ１０６Ａを送信し、ｓＰＤＳＣＨ  ｌｅｎｇｔｈ１１６ＡのｓＰＤＳＣＨ１０７Ａを送信してもよい。
また、例えば、基地局装置３は、ｓＴＴＩ  ｌｅｎｇｔｈ１２２Ａのうち、ｓＰＤＣＣＨ  ｌｅｎｇｔｈ１１７ＡのｓＰＤＣＣＨ１０８Ａを送信し、ｓＰＤＳＣＨ  ｌｅｎｇｔｈ１１８ＡのｓＰＤＳＣＨ１０９Ａを送信してもよい。
ここで、ｓＰＤＣＣＨ１０２Ａ、１０４Ａ、１０６Ａ、１０８Ａのそれぞれは、同じｓＰＤＣＣＨ  ｌｅｎｇｔｈであってもよいし、異なるｓＰＤＣＣＨ  ｌｅｎｇｔｈであってもよい。また、ｓＰＤＳＣＨ１０３Ａ、１０５Ａ、１０７Ａ、１０９Ａのそれぞれは、同じｓＰＤＳＣＨ  ｌｅｎｇｔｈであってもよいし、異なるｓＰＤＳＣＨ  ｌｅｎｇｔｈであってもよい。また、ｓＴＴＩ  ｌｅｎｇｔｈ１１９Ａ、１２０Ａ、１２１Ａ、１２２Ａのそれぞれは、同じｓＴＴＩ  ｌｅｎｇｔｈであってもよいし、異なるｓＴＴＩ  ｌｅｎｇｔｈであってもよい。
また、それぞれのｓＴＴＩ  ｌｅｎｇｔｈ１１９Ａ、１２０Ａ、１２１Ａ、１２２Ａを用いて送信されるｓＰＤＣＣＨ１０２Ａ、１０４Ａ、１０６Ａ、１０８ＡおよびｓＰＤＳＣＨ１０３Ａ、１０５Ａ、１０７Ａ、１０９Ａは、同じ周波数帯域幅（ｓＴＴＩ  ｂａｎｄｗｉｄｔｈ１１０Ａ）を用いてもよいし、ｓＴＴＩ  ｌｅｎｇｔｈ１１９Ａ、１２０Ａ、１２１Ａ、１２２Ａのそれぞれにおいて異なる周波数帯域幅（ｓＴＴＩ  ｂａｎｄｗｉｄｔｈ）を用いてもよい。
【００９３】
また、基地局装置３は、ＰＤＣＣＨ１００Ａにおいて、ＰＤＳＣＨ１０１Ａでの送信におけるｓＰＤＣＣＨ１０２Ａ、１０４Ａ、１０６Ａ、１０８Ａおよび／またはｓＰＤＳＣＨ１０３Ａ、１０５Ａ、１０７Ａ、１０９Ａに対するｓＰＤＣＣＨ、ｓＰＤＳＣＨの周波数割り当て情報や、キャリアアグリゲーションレベル等のｓＰＤＣＣＨに関する情報を下りリンク制御情報に含めて送信してもよい。
【００９４】
例えば、基地局装置３は、ＰＤＣＣＨにおいて第１のＤＬグラントを送信してもよい。ここで、基地局装置３は、端末装置１が第１のＤＬグラントをモニタするサブフレームおよび／またはシンボル（ＯＦＤＭシンボル）を設定してもよい。例えば、基地局装置３は、端末装置１が第１のＤＬグラントをモニタするサブフレームおよび／またはシンボル（ＯＦＤＭシンボル）を設定するために用いられる情報を、上位層の信号を用いて送信してもよい。
【００９５】
ここで、第１のＤＬグラントは、第１のＤＬグラントが受信された当該サブフレームに対して有効であってもよい。例えば、受信された第１のＤＬグラントは、当該サブフレームにおいて用いられるｓＰＤＳＣＨおよび／またはｓＰＤＣＣＨに対する帯域幅（周波数リソース）を指示するために用いられてもよい。
【００９６】
また、例えば、基地局装置３は、第２のＤＬグラントを送信してもよい。ここで、第２のＤＬグラントは、ｓＰＤＣＣＨで送信されてもよい。例えば、第２のＤＬグラントを用いて、当該ｓＴＴＩにおけるｓＰＤＳＣＨがスケジュールされてもよい。
【００９７】
すなわち、第２のＤＬグラントを用いてｓＰＤＳＣＨでの送信がスケジュールされてもよい。すなわち、端末装置１は、基地局装置３によるスケジューリングに基づいて、ｓＰＤＳＣＨでの受信を行ってもよい。
【００９８】
同様に、基地局装置３は、第３のＤＬグラントを用いてＰＤＳＣＨでの送信をスケジュールし、端末装置１は、基地局装置３によるスケジューリングに基づいて、ＰＤＳＣＨでの受信を行ってもよい。
なお、図２に示す例は、ｓＰＤＣＣＨとｓＰＤＳＣＨとがｓＴＴＩバンドにおいて、時間多重される場合の一例であるが、図１１（ａ）の示すように、ｓＰＤＣＣＨとｓＰＤＳＣＨとが時間多重されてもよい。また、図１１（ｂ）の示すように、周波数多重されてもよい。また、図１１（ｃ）の示すように、時間多重と周波数多重との両方が適用されてもよい。
【００９９】
図３は、本発明の第１の実施形態に係る端末装置１の構成の一例を示す概略ブロック図である。
端末装置１は、処理部１０１と、制御部１０３と、受信部１０５と、送信部１０７と、送受信アンテナ部１０９と、を含んで構成される。また、処理部１０１は、無線リソース制御部１０１１と、スケジューリング情報解釈部１０１３と、ｓＴＴＩ制御部１０１５と、を含んで構成される。また、受信部１０５は、復号化部１０５１と、復調部１０５３と、多重分離部１０５５と、無線受信部１０５７と、チャネル測定部１０５９と、を含んで構成される。また、送信部１０７は、符号化部１０７１と、変調部１０７３と、多重部１０７５と、無線送信部１０７７と、上りリンク参照信号生成部１０７９と、を含んで構成される。
【０１００】
処理部１０１は、ユーザーの操作等により生成された上りリンクデータ（トランスポートブロック）を、送信部１０７に出力する。また、処理部１０１は、媒体アクセス制御（Ｍｅｄｉｕｍ  Ａｃｃｅｓｓ  ｃｏｎｔｒｏｌ：ＭＡＣ）、パケットデータ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ ｃｏｎｔｒｏｌ：ＲＬＣ）層、無線リソース制御（Ｒａｄｉｏ  Ｒｅｓｏｕｒｃｅ  ｃｏｎｔｒｏｌ：ＲＲＣ）層等の処理を行なう。
【０１０１】
処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【０１０２】
ここで、処理部１０１が備えるスケジューリング情報解釈部１０１３は、受信部１０５を介して受信したＤＣＩフォーマット（スケジューリング情報、ＵＬグラント）を解釈（解析）し、該ＤＣＩフォーマットを解釈した結果（解析結果）に基づき、受信部１０５、および送信部１０７の制御を行なうために制御情報を生成し、制御部１０３に出力する。
【０１０３】
また、処理部１０１が備えるｓＴＴＩ制御部１０１５は、各種設定情報、および、パラメータなどＳＰＳに関連する情報、状況に基づいて、ＴＴＩ送信／受信に関連する制御、ｓＴＴＩ送信／受信に関連する制御を行う。
【０１０４】
また、制御部１０３は、処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１０５】
また、受信部１０５は、制御部１０３から入力された制御信号に従って、送受信アンテナ部１０９を介して基地局装置３から受信した受信信号を、分離、復調、復号し、復号した情報を処理部１０１に出力する。
【０１０６】
また、無線受信部１０５７は、送受信アンテナ部１０９を介して受信した下りリンクの信号を、直交復調によりベースバンド信号に変換し（ダウンコンバート:ｄｏｗｎ  ｃｏｖｅｒｔ）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Ｃｙｃｌｉｃ  Ｐｒｅｆｉｘ）に相当する部分を除去し、ＣＰを除去した信号に対して高速フーリエ変換（Ｆａｓｔ  Ｆｏｕｒｉｅｒ  Ｔｒａｎｓｆｏｒｍ：ＦＦＴ）を行い、周波数領域の信号を抽出する。
【０１０７】
また、多重分離部１０５５は、抽出した信号をＰＨＩＣＨ、ＰＤＣＣＨ、ｓＰＤＣＣＨ、ＰＤＳＣＨ、ｓＰＤＳＣＨおよび、下りリンク参照信号に、それぞれ分離する。また、多重分離部１０５５は、チャネル測定部１０５９から入力された伝搬路の推定値から、ＰＨＩＣＨ、ＰＤＣＣＨ、ｓＰＤＣＣＨ、ＰＤＳＣＨ、ｓＰＤＳＣＨの伝搬路の補償を行なう。また、多重分離部１０５５は、分離した下りリンク参照信号をチャネル測定部１０５９に出力する。
【０１０８】
また、復調部１０５３は、ＰＨＩＣＨに対して対応する符号を乗算して合成し、合成した信号に対してＢＰＳＫ（Ｂｉｎａｒｙ  Ｐｈａｓｅ  Ｓｈｉｆｔ  Ｋｅｙｉｎｇ）変調方式の復調を行ない、復号化部１０５１へ出力する。復号化部１０５１は、自装置宛てのＰＨＩＣＨを復号し、復号したＨＡＲＱインディケータを処理部１０１に出力する。復調部１０５３は、ＰＤＣＣＨおよび／またはｓＰＤＣＣＨに対して、ＱＰＳＫ変調方式の復調を行ない、復号化部１０５１へ出力する。復号化部１０５１は、ＰＤＣＣＨおよび／またはｓＰＤＣＣＨの復号を試み、復号に成功した場合、復号した下りリンク制御情報と下りリンク制御情報が対応するＲＮＴＩとを処理部１０１に出力する。
【０１０９】
また、復調部１０５３は、ＰＤＳＣＨおよび／またはｓＰＤＳＣＨに対して、ＱＰＳＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を処理部１０１へ出力する。
【０１１０】
また、チャネル測定部１０５９は、多重分離部１０５５から入力された下りリンク参照信号から下りリンクのパスロスやチャネルの状態を測定し、測定したパスロスやチャネルの状態を処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩ（ＣＳＩでもよい）の算出のために、チャネル測定、および／または、干渉測定を行なう。
【０１１１】
また、送信部１０７は、制御部１０３から入力された制御信号に従って、上りリンク参照信号を生成し、処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。また、送信部１０７は、上りリンク制御情報を送信する。
【０１１２】
また、符号化部１０７１は、処理部１０１から入力された上りリンク制御情報を畳み込み符号化、ブロック符号化等の符号化を行う。また、符号化部１０７１は、ＰＵＳＣＨのスケジューリングに用いられる情報に基づきターボ符号化を行なう。
【０１１３】
また、変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Ｍｕｌｔｉｐｌｅ  Ｉｎｐｕｔ  Ｍｕｌｔｉｐｌｅ  Ｏｕｔｐｕｔ）ＳＭ（Ｓｐａｔｉａｌ  Ｍｕｌｔｉｐｌｅｘｉｎｇ）を用いることにより同一のＰＵＳＣＨで送信される複数の上りリンクデータを、複数の系列にマッピングし、この系列に対してプレコーディング（ｐｒｅｃｏｄｉｎｇ）を行なう。
【０１１４】
また、上りリンク参照信号生成部１０７９は、基地局装置３を識別するための物理レイヤセル識別子（ｐｈｙｓｉｃａｌ  ｌａｙｅｒ  ｃｅｌｌ  ｉｄｅｎｔｉｔｙ：ＰＣＩ、Ｃｅｌｌ  ＩＤなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Ｄｉｓｃｒｅｔｅ  Ｆｏｕｒｉｅｒ  Ｔｒａｎｓｆｏｒｍ：ＤＦＴ）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０１１５】
また、無線送信部１０７７は、多重された信号を逆高速フーリエ変換（Ｉｎｖｅｒｓｅ  Ｆａｓｔ  Ｆｏｕｒｉｅｒ  Ｔｒａｎｓｆｏｒｍ：ＩＦＦＴ）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（ｕｐ  ｃｏｎｖｅｒｔ）し、電力増幅し、送受信アンテナ部１０９に出力して送信する。
【０１１６】
図４は、本発明の第１の実施形態に係る基地局装置の構成の一例を示す概略ブロック図である。
基地局装置３は、処理部３０１と、制御部３０３と、受信部３０５と、送信部３０７と、送受信アンテナ部３０９と、を含んで構成される。また、処理部３０１は、無線リソース制御部３０１１と、スケジューリング部３０１３と、ｓＴＴＩ制御部３０１５と、を含んで構成される。また、受信部３０５は、復号化部３０５１と、復調部３０５３と、多重分離部３０５５と、無線受信部３０５７と、チャネル測定部３０５９と、を含んで構成される。また、送信部３０７は、符号化部３０７１と、変調部３０７３と、多重部３０７５と、無線送信部３０７７と、下りリンク参照信号生成部３０７９と、を含んで構成される。
【０１１７】
処理部３０１は、媒体アクセス制御（Ｍｅｄｉｕｍ  Ａｃｃｅｓｓ  ｃｏｎｔｒｏｌ：ＭＡＣ）層、パケットデータ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  ｃｏｎｔｒｏｌ：ＲＬＣ）層、無線リソース制御（Ｒａｄｉｏ  Ｒｅｓｏｕｒｃｅ  ｃｏｎｔｒｏｌ：ＲＲＣ）層の処理を行なう。また、処理部３０１は、受信部３０５、および送信部３０７の制御を行なうために制御情報を生成し、制御部３０３に出力する。
【０１１８】
また、処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（ｃｏｎｔｒｏｌ  Ｅｌｅｍｅｎｔ）などを生成し、又は上位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【０１１９】
また、処理部３０１が備えるスケジューリング部３０１３は、受信したチャネル状態情報およびチャネル測定部３０５９から入力された伝搬路の推定値やチャネルの品質などから、物理チャネル（ＰＤＳＣＨ、ｓＰＤＳＣＨおよびＰＵＳＣＨ）を割り当てる周波数およびサブフレーム、物理チャネル（ＰＤＳＣＨ、ｓＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０１２０】
また、処理部３０１が備えるｓＴＴＩ制御部３０１５は、各種設定情報、および、パラメータなどＳＰＳに関連する情報、状況に基づいて、ＳＰＳに関連する制御を行う。
【０１２１】
また、制御部３０３は、処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１２２】
また、受信部３０５は、制御部３０３から入力された制御信号に従って、送受信アンテナ部３０９を介して端末装置１から受信した受信信号を分離、復調、復号し、復号した情報を処理部３０１に出力する。無線受信部３０５７は、送受信アンテナ部３０９を介して受信された上りリンクの信号を、直交復調によりベースバンド信号に変換し（ダウンコンバート：ｄｏｗｎ  ｃｏｖｅｒｔ）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。また、受信部３０５は、上りリンク制御情報を受信する。
【０１２３】
また、無線受信部３０５７は、変換したディジタル信号からＣＰ（Ｃｙｃｌｉｃ  Ｐｒｅｆｉｘ）に相当する部分を除去する。無線受信部３０５７は、ＣＰを除去した信号に対して高速フーリエ変換（Ｆａｓｔ  Ｆｏｕｒｉｅｒ  Ｔｒａｎｓｆｏｒｍ：ＦＦＴ）を行い、周波数領域の信号を抽出し多重分離部３０５５に出力する。
【０１２４】
また、多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１２５】
また、復調部３０５３は、ＰＵＳＣＨを逆離散フーリエ変換（Ｉｎｖｅｒｓｅ  Ｄｉｓｃｒｅｔｅ  Ｆｏｕｒｉｅｒ  Ｔｒａｎｓｆｏｒｍ：  ＩＤＦＴ）し、変調シンボルを取得し、ＰＵＣＣＨとＰＵＳＣＨの変調シンボルそれぞれに対して、ＢＰＳＫ（Ｂｉｎａｒｙ  Ｐｈａｓｅ  Ｓｈｉｆｔ  Ｋｅｙｉｎｇ）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１２６】
また、復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を処理部１０１へ出力する。ＰＵＳＣＨが再送信の場合は、復号化部３０５１は、処理部３０１から入力されるＨＡＲＱバッファに保持している符号化ビットと、復調された符号化ビットを用いて復号を行なう。チャネル測定部３０５９は、多重分離部３０５５から入力された上りリンク参照信号から伝搬路の推定値、チャネルの品質などを測定し、多重分離部３０５５および処理部３０１に出力する。
【０１２７】
また、送信部３０７は、制御部３０３から入力された制御信号に従って、下りリンク参照信号を生成し、処理部３０１から入力されたＨＡＲＱインディケータ、下りリンク制御情報、下りリンクデータを符号化、および変調し、ＰＨＩＣＨ、ＰＤＣＣＨ、ｓＰＤＣＣＨ、ＰＤＳＣＨ、ｓＰＤＳＣＨおよび、下りリンク参照信号を多重して、送受信アンテナ部３０９を介して端末装置１に信号を送信する。
【０１２８】
また、符号化部３０７１は、処理部３０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１２９】
また、下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１３０】
また、無線送信部３０７７は、多重された変調シンボルなどを逆高速フーリエ変換（Ｉｎｖｅｒｓｅ  Ｆａｓｔ  Ｆｏｕｒｉｅｒ  Ｔｒａｎｓｆｏｒｍ：  ＩＦＦＴ）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（ｕｐ  ｃｏｎｖｅｒｔ）し、電力増幅し、送受信アンテナ部３０９に出力して送信する。
【０１３１】
より具体的には、本実施形態における端末装置１は、ｓＴＴＩの長さを示すｓＴＴＩパターン（ｓＴＴＩ  ｌｅｎｇｔｈ、ｓＰＤＣＣＨ  ｌｅｎｇｔｈ、ｓＰＤＳＣＨ  ｌｅｎｇｔｈなど）情報を受信する受信部１０５と、ショート物理下りリンク制御チャネル（ｓＰＤＣＣＨ）に対するトランスミッションスキームに応じてショート物理下りリンク制御チャネル（ｓＰＤＣＣＨ）をデコードし、ショート物理下りリンク共用チャネル（ｓＰＤＳＣＨ）に対するトランスミッションスキームに応じてショート物理下りリンク共用チャネル（ｓＰＤＳＣＨ）をデコードするデコード部（復号化部１０５１）と、を備え、ショート物理下りリンク制御チャネル（ｓＰＤＣＣＨ）に対するトランスミッションスキームと、ショート物理下りリンク共用チャネル（ｓＰＤＳＣＨ）に対するトランスミッションスキームとは、ｓＴＴＩパターン（ｓＴＴＩ  ｌｅｎｇｔｈ、ｓＰＤＣＣＨ  ｌｅｎｇｔｈ、ｓＰＤＳＣＨ  ｌｅｎｇｔｈなど）情報に基づいて与えられる。
【０１３２】
ここで、端末装置１は、ショート物理下りリンク制御チャネル（ｓＰＤＣＣＨ）の長さ（ｓＰＤＣＣＨ  ｌｅｎｇｔｈ）に応じて、ショート物理下りリンク制御チャネル（ｓＰＤＣＣＨ）に対するトランスミッションスキームを決定してもよい。
【０１３３】
また、ショート物理下りリンク制御チャネル（ｓＰＤＣＣＨ）の長さ（ｓＰＤＣＣＨ  ｌｅｎｇｔｈ）は、ｓＴＴＩバンド帯域幅（ｓＴＴＩ  ｂａｎｄｗｉｄｔｈ）によって決定されてもよい。
【０１３４】
また、本実施形態における基地局装置３は、ｓＴＴＩの長さを示すｓＴＴＩパターン情報を送信する送信部３０７を備え、送信部３０７は、ショート物理下りリンク制御チャネル（ｓＰＤＣＣＨ）に対するトランスミッションスキームに応じてショート物理下りリンク制御チャネル（ｓＰＤＣＣＨ）を端末装置１にデコードさせ、ショート物理下りリンク共用チャネル（ｓＰＤＳＣＨ）に対するトランスミッションスキームに応じてショート物理下りリンク共用チャネル（ｓＰＤＳＣＨ）を端末装置１にデコードさせるための、ショート物理下りリンク制御チャネル（ｓＰＤＣＣＨ）に対するトランスミッションスキームと、ショート物理下りリンク共用チャネル（ｓＰＤＳＣＨ）に対するトランスミッションスキームとを、ｓＴＴＩパターン情報に含めて送信する。
【０１３５】
ここで、基地局装置３は、ショート物理下りリンク制御チャネル（ｓＰＤＣＣＨ）の長さ（ｓＰＤＣＣＨ  ｌｅｎｇｔｈ）に応じて、ショート物理下りリンク制御チャネル（ｓＰＤＣＣＨ）に対するトランスミッションスキームを決定してもよい。
【０１３６】
また、ショート物理下りリンク制御チャネル（ｓＰＤＣＣＨ）の長さ（ｓＰＤＣＣＨ  ｌｅｎｇｔｈ）は、ｓＴＴＩバンド帯域幅（ｓＴＴＩ  ｂａｎｄｗｉｄｔｈ）によって決定されてもよい。
【０１３７】
これにより、端末装置１は、下りリンクデータを効率的に受信することができる。例えば、端末装置１は、過去のリリースに対応する端末装置との共存を可能とすることができる。結果として、下りリンクのリソースを効率的に使用することが可能となり、下りリンクデータを効率的に受信することができる。
【０１３８】
図５は、本発明の第１の実施形態に係る基地局装置３がマッピングする信号の一例を示す概略図である。
図示する例は、１つのサブフレーム内の２つのリソースブロック（Ｒｅｓｏｕｒｃｅ  Ｂｌｏｃｋ：ＲＢ）ペアを示している。１つのリソースブロックは、周波数方向に１２本のサブキャリアと、時間方向に７シンボルのＯＦＤＭシンボルで構成される。１つのＯＦＤＭシンボルのうち、それぞれのサブキャリアをリソースエレメント（Ｒｅｓｏｕｒｃｅ  Ｅｌｅｍｅｎｔ：ＲＥ）と呼ぶ。それぞれのサブフレームのうち、時間方向に前後の７つのＯＦＤＭシンボルをそれぞれスロットと呼び、１つのサブフレームに含まれる連続する２つのリソースブロックをリソースブロックペアと呼ぶ。
【０１３９】
ここで、リソースブロックは、通信システムが用いる周波数待機幅（システム帯域幅）に応じて、その数を変えることができる。例えば、６〜１１０このリソースブロックを用いることができ、それを１つの単位としてコンポーネントキャリア（ＣＣ；Ｃｏｍｐｏｎｅｎｔ  Ｃａｒｒｉｅｒ、Ｃａｒｒｉｅｒ  Ｃｏｍｐｏｎｅｎｔ）とも呼ぶ。さらに、キャリアアグリゲーションにより、全システム帯域幅を１１０個以上にすることも可能である。
【０１４０】
例えば、ＣＲＳは、図中の黒塗りで示すリソースエレメントにマッピングされる。ここで、図示する例は、１つのアンテナポート（Ｏｎｅ  ａｎｔｅｎｎａ  ｐｏｒｔ）の場合と２つのアンテナポート（Ｔｗｏ  ａｎｔｅｎｎａ  ｐｏｒｔ）の場合との一例であるが、その数を変えることができ、例えば、４つのアンテナポート（Ｆｏｕｒ  ａｎｔｅｎｎａ  ｐｏｒｔ）に対するＣＲＳをマッピングすることも可能である。また、図示する例は、アンテナポート０の場合と、アンテナポートが１である場合の一例であるが、ＣＲＳは、最大４つのアンテナポート（アンテナポート０〜３）に設定することができる。
【０１４１】
なお、データ信号や制御信号は、図中の白塗りのリソースエレメントにマッピングされる。なお、ＣＳＩ−ＲＳ、ＤＭＲＳなどがマッピングされてもよい。
【０１４２】
図６は、本発明の第１の実施形態に係る基地局装置３がマッピングする信号の他の一例を示す概略図である。
例えば、ＤＭＲＳは、図中のハッチングで示すリソースエレメントにマッピングされる。ＤＭＲＳは、符号分割多重（ＣＤＭ；Ｃｏｄｅ  Ｄｉｖｉｓｉｏｎ  Ｍｕｌｔｉｐｌｅｘｉｎｇ）の単位に応じて、リソースエレメントが異なるようにマッピングされる。データ信号や制御信号は、図中の白塗りのリソースエレメントにマッピングされる。なお、ＣＳＩ−ＲＳ、ＣＲＳなどがマッピングされてもよい。
【０１４３】
アンテナポートは、７〜１４で規定される。アンテナポートは、最大レイヤー数を８として、レイヤー数に応じて異なる。具体的には、レイヤー数が８の場合、アンテナポート７〜１４が用いられる。レイヤー数が８未満の場合、アンテナポート７〜１４の一部が用いられる。例えば、レイヤー数が４の場合、アンテナポート７〜１０が用いられ、レイヤー数が１の場合、アンテナポート７または８のいずれかが用いられる。図示する例では、アンテナポート番号が７の場合の一例である。
【０１４４】
図７は、本発明の第１の実施形態に係るｓＴＴＩ  ｌｅｎｇｔｈ判定テーブルの一例を示す図である。
基地局装置３は、サブフレームごとのｓＴＴＩパターンを、ｓＴＴＩパターン情報を用いて端末装置１に対して設定する。
ｓＴＴＩパターン情報は、ＰＤＣＣＨで送信される第１のＤＬグラント（ｎｏｎ−ＵＥ  ｓｐｅｃｉｆｉｃ  ＤＣＩおよび／またはｓｕｂｆｒａｍｅ  ｓｐｅｃｉｆｉｃ  ＤＣＩ）に含まれてもよい。ｓＴＴＩパターン情報は、例えば、ｓＴＴＩ  ｌｅｎｇｔｈを示す情報、ｓＰＤＣＣＨ  ｌｅｎｇｔｈを示す情報、ｓＰＤＳＣＨ  ｌｅｎｇｔｈを示す情報、ｓＴＴＩ  ｂａｎｄｗｉｄｔｈを示す情報の少なくともいずれかを含んでもよい。このＰＤＣＣＨで送信される第１のＤＬグラントには、ｓＰＤＣＣＨおよび／またはｓＰＤＳＣＨの周波数割り当て情報や、アグリゲーションレベル等のｓＰＤＣＣＨに関する情報や、Ｃ−ＲＮＴＩなどの識別情報が含まれてもよい。
【０１４５】
また、ｓＴＴＩパターン情報には、端末装置１（受信部１０５（復号化部１０５１））がモニタ（デコード）するｓＰＤＣＣＨリソース（ｓＰＤＣＣＨ  ｃａｎｄｉｄａｔｅ）を示す情報が含まれてもよい。また、ｓＴＴＩパターン情報には、ｓＰＤＣＣＨおよび／またはｓＰＤＳＣＨリソースを示す情報が含まれてもよい。ｓＰＤＣＣＨおよび／またはｓＰＤＳＣＨリソースを示す情報は、シンボル数およびシンボルのスタート位置によって示されてもよいし、ｓＰＤＣＣＨのシンボルインデックスにより示されてもよい。
【０１４６】
なお、ｓＰＤＣＣＨリソースは、シンボルの数および／またはｓＰＤＣＣＨ帯域幅によって定義されてもよい。ここで、ｓＰＤＣＣＨ帯域幅は、物理リソースブロック数によって表現されてもよい。
図１１は、本発明の第１の実施形態に係るｓＴＴＩ内のｓＰＤＣＣＨとｓＰＤＳＣＨの多重方式の一例を示す概略図である。
例えば、図１１の（ａ）の場合において、ｓＰＤＣＣＨの長さ（ｓＰＤＣＣＨ  ｌｅｎｇｔｈ）は、ｓＴＴＩバンド帯域幅（ｓＴＴＩ  ｂａｎｄｗｉｄｔｈ）に基づいて、決定されてもよい。
例えば、図１１の（ｂ）および／または図１１（ｃ）の場合において、ｓＴＴＩｌｅｎｇｔｈの長さに応じてｓＰＤＣＣＨ帯域幅が決定されてもよい。
また、例えば、図１１の（ｂ）および／または図１１（ｃ）の場合において、ｓＰＤＣＣＨｌｅｎｇｔｈの長さに応じて、ｓＰＤＣＣＨ帯域幅が決定されてもよい。
また、例えば、ｓＴＴＩおよび／またはｓＰＤＣＣＨの長さに応じて、ｓＰＤＣＣＨ帯域幅が基地局装置によって設定された複数のパラメータによって決定されてもよい。一例としては、ｓＴＴＩおよび／またはｓＰＤＣＣＨの長さが２シンボルの場合、ｓＰＤＣＣＨ帯域幅は第１のパラメータによって決定され、尚且つ、ｓＴＴＩおよび／またはｓＰＤＣＣＨの長さが７シンボルの場合、ｓＰＤＣＣＨ帯域幅は第２のパラメータによって決定されてもよい。
【０１４７】
図１２は、本発明の第１の実施形態に係る異なるｓＴＴＩｌｅｎｇｔｈ内のｓＰＤＣＣＨとｓＰＤＳＣＨの周波数多重方式の一例を示す概略図である。即ち、ｓＴＴＩおよび／またはｓＰＤＣＣＨの長さが短くなると、ｓＰＤＣＣＨ帯域幅が大きくなってもよい。即ち、ｓＴＴＩおよび／またはｓＰＤＣＣＨの長さが長くなると、ｓＰＤＣＣＨ帯域幅が小さくなってもよい。すなわち、ｓＰＤＣＣＨの領域は時間領域における情報のみで特定されてもよい。すなわち、ｓＰＤＣＣＨの領域は周波数領域における情報のみで特定されてもよい。すなわち、ｓＰＤＣＣＨの領域は時間領域と周波数領域における情報で特定されてもよい。
【０１４８】
基地局装置３は、ｓＴＴＩパターン情報を、ＭＡＣ  ＣＥ、ＲＲＣパラメータ（ＲＲＣ信号）などによって、端末装置１に通知してもよい。端末装置１は、基地局装置３から通知されるｓＴＴＩパターン情報に基づいて、ｓＰＤＣＣＨに対するトランスミッションスキームおよび／またはｓＰＤＳＣＨに対するトランスミッションスキームを、ＣＲＳ−ｂａｓｅｄトランスミッションスキームかＤＭＲＳ−ｂａｓｅｄトランスミッションスキームかのいずれであるかを決定してもよい。また、端末装置１は、基地局装置３から通知されるｓＴＴＩパターン情報に基づいて、ｓＰＤＣＣＨに対するトランスミッションスキームおよび／またはｓＰＤＳＣＨに対するトランスミッションスキームを、ＣＲＳ−ｂａｓｅｄトランスミッションスキームかＤＭＲＳ−ｂａｓｅｄトランスミッションスキームかのいずれかのトランスミッションスキームに切り替えてもよい。
【０１４９】
具体的には、端末装置１は、基地局装置３から通知されたｓＴＴＩパターン情報に任意のｓＴＴＩ  ｌｅｎｇｔｈを示す情報が含まれる場合に、ｓＰＤＣＣＨに対するトランスミッションスキームおよび／またはｓＰＤＳＣＨに対するトランスミッションスキームを、ＣＲＳ−ｂａｓｅｄトランスミッションスキームに決定して該ＣＲＳ−ｂａｓｅｄトランスミッションスキームを用いてもよい。また、端末装置１は、基地局装置３から通知されたｓＴＴＩパターン情報にｓＴＴＩ  ｌｅｎｇｔｈを示す情報が含まれる場合であって、ｓＴＴＩ  ｌｅｎｇｔｈを示す情報が任意の値Ｋ１未満である場合には、ｓＰＤＣＣＨのトランスミッションスキームとしてＣＲＳ−ｂａｓｅｄトランスミッションスキームに決定して該ＣＲＳ−ｂａｓｅｄトランスミッションスキームを用いてもよい。
【０１５０】
なお、図示するように、端末装置１は、基地局装置３から通知されたｓＴＴＩパターン情報にｓＴＴＩ  ｌｅｎｇｔｈを示す情報が含まれる場合であって、ｓＴＴＩ  ｌｅｎｇｔｈを示す情報が任意の値Ｋ１以上であるか未満であるに応じて、ｓＰＤＣＣＨおよび／またはｓＰＤＳＣＨのトランスミッションスキームのそれぞれまたは両方がＣＲＳ−ｂａｓｅｄトランスミッションスキームであるかＤＭＲＳトランスミッションスキームであるかを決定してもよい。
【０１５１】
図８は、本発明の第１の実施形態に係るｓＰＤＣＣＨ  ｌｅｎｇｔｈ判定テーブルの一例を示す図である。
端末装置１は、基地局装置３から通知されたｓＴＴＩパターン情報に任意のｓＰＤＣＣＨ  ｌｅｎｇｔｈを示す情報が含まれる場合に、ｓＰＤＣＣＨに対するトランスミッションスキームに対するトランスミッションスキームを、ＣＲＳ−ｂａｓｅｄトランスミッションスキームに決定して該ＣＲＳ−ｂａｓｅｄトランスミッションスキームを用いてもよい。また、端末装置１は、基地局装置３から通知されたｓＴＴＩパターン情報にｓＰＤＣＣＨ  ｌｅｎｇｔｈを示す情報が含まれる場合であって、ｓＰＤＣＣＨ  ｌｅｎｇｔｈを示す情報が任意の値Ｋ２未満である場合には、ｓＰＤＣＣＨのトランスミッションスキームとしてＣＲＳ−ｂａｓｅｄトランスミッションスキームに決定して該ＣＲＳ−ｂａｓｅｄトランスミッションスキームを用いてもよい。また、端末装置１は、基地局装置３から通知されたｓＴＴＩパターン情報にｓＰＤＣＣＨ  ｌｅｎｇｔｈを示す情報が含まれる場合であって、ＰＤＣＣＨ  ｌｅｎｇｔｈを示す情報が任意の値Ｋ２以上である場合には、ｓＰＤＣＣＨのトランスミッションスキームとしてＤＭＲＳ−ｂａｓｅｄトランスミッションスキームに決定して該ＤＭＲＳ−ｂａｓｅｄトランスミッションスキームを用いてもよい。
【０１５２】
図９は、本発明の第１の実施形態に係るｓＰＤＳＣＨ  ｌｅｎｇｔｈ判定テーブルの一例を示す図である。
端末装置１は、基地局装置３から通知されたｓＴＴＩパターン情報に任意のｓＰＤＳＣＨ  ｌｅｎｇｔｈを示す情報が含まれる場合に、ｓＰＤＳＣＨに対するトランスミッションスキームに対するトランスミッションスキームを、ＣＲＳ−ｂａｓｅｄトランスミッションスキームに決定して該ＣＲＳ−ｂａｓｅｄトランスミッションスキームを用いてもよい。また、端末装置１は、基地局装置３から通知されたｓＴＴＩパターン情報にｓＰＤＳＣＨ  ｌｅｎｇｔｈを示す情報が含まれる場合であって、ｓＰＤＳＣＨ  ｌｅｎｇｔｈを示す情報が任意の値Ｋ３未満である場合には、ｓＰＤＳＣＨのトランスミッションスキームとしてＣＲＳ−ｂａｓｅｄトランスミッションスキームに決定して該ＣＲＳ−ｂａｓｅｄトランスミッションスキームを用いてもよい。また、端末装置１は、基地局装置３から通知されたｓＴＴＩパターン情報にｓＰＤＳＣＨ  ｌｅｎｇｔｈを示す情報が含まれる場合であって、ｓＰＤＳＣＨ  ｌｅｎｇｔｈを示す情報が任意の値Ｋ３以上である場合には、ｓＰＤＳＣＨのトランスミッションスキームとしてＤＭＲＳ−ｂａｓｅｄトランスミッションスキームに決定して該ＤＭＲＳ−ｂａｓｅｄトランスミッションスキームを用いてもよい。
【０１５３】
ここで、ｓＰＤＳＣＨ  ｌｅｎｇｔｈを示す情報は、ｓＴＴＩパターン情報に含まれてもよいし、ｓＰＤＣＣＨに送信される第２のＤＬグラントに含まれてもよい。なお、ｓＴＴＩパターン情報に含まれるｓＰＤＳＣＨ  ｌｅｎｇｔｈの情報は、ｓＰＤＣＣＨに含まれるｓＰＤＳＣＨ  ｌｅｎｇｔｈの情報に切り替えられてもよい。
【０１５４】
図１０は、本発明の第１の実施形態に係るトランスミッションスキーム決定処理の一例を示すフローチャートである。
ステップＳ１０００において、端末装置１は、基地局装置３からＰＤＣＣＨで送信される第１のＤＬグラント（ｎｏｎ−ＵＥ  ｓｐｅｃｉｆｉｃ  ＤＣＩおよび／またはｓｕｂｆｒａｍｅ  ｓｐｅｃｉｆｉｃ  ＤＣＩ）に含まれるｓＴＴＩパターン情報が通知されると、ｓＴＴＩモードとして、ｓＰＤＣＣＨに対するトランスミッションスキームおよびｓＰＤＳＣＨに対するトランスミッションスキームのそれぞれが、ＣＲＳ−ｂａｓｅｄトランスミッションスキームであるかＤＭＲＳトランスミッションスキームであるかを決定する処理を開始してもよい。
【０１５５】
ステップＳ１００１において、端末装置１は、基地局装置３から通知されたｓＴＴＩパターン情報にｓＴＴＩ  ｌｅｎｇｔｈを示す情報が含まれる場合であって、ｓＴＴＩ  ｌｅｎｇｔｈを示す情報が任意の値Ｋ１以上であるか否かを判定する。
ステップＳ１００２において、端末装置１は、ｓＴＴＩ  ｌｅｎｇｔｈを示す情報が任意の値Ｋ１以上である場合（ステップＳ１００１；ＹＥＳ）、基地局装置３から通知されたｓＴＴＩパターン情報にｓＰＤＣＣＨ  ｌｅｎｇｔｈを示す情報が含まれる場合であって、ｓＰＤＣＣＨ  ｌｅｎｇｔｈを示す情報が任意の値Ｋ２以上であるか否かの判定を行う。
ステップＳ１００３において、端末装置１は、基地局装置３から通知されたｓＴＴＩパターン情報にｓＰＤＣＣＨ  ｌｅｎｇｔｈを示す情報が含まれる場合であって、ｓＰＤＣＣＨ  ｌｅｎｇｔｈを示す情報が任意の値Ｋ２以上である場合（ステップＳ１００２；ＹＥＳ）、ｓＰＤＣＣＨに対するトランスミッションスキームとしてＤＭＲＳ−ｂａｓｅｄトランスミッションスキームに決定して該ＤＭＲＳ−ｂａｓｅｄトランスミッションスキームを用いる。
【０１５６】
ステップＳ１００４において、端末装置１は、基地局装置３から通知されたｓＴＴＩパターン情報および／または第２のＤＬグラントにｓＰＤＳＣＨ  ｌｅｎｇｔｈを示す情報が含まれる場合であって、ｓＰＤＳＣＨ  ｌｅｎｇｔｈを示す情報が任意の値Ｋ３以上であるか否かを判定する。
ステップＳ１００５において、端末装置１は、ｓＰＤＳＣＨ  ｌｅｎｇｔｈを示す情報が任意の値Ｋ３以上である場合（ステップＳ１００４；ＹＥＳ）、ｓＰＤＳＣＨに対するトランスミッションスキームとしてＤＭＲＳ−ｂａｓｅｄトランスミッションスキームに決定して該ＤＭＲＳ−ｂａｓｅｄトランスミッションスキームを用いる。
ステップＳ１００６において、端末装置１は、ｓＰＤＳＣＨ  ｌｅｎｇｔｈを示す情報が任意の値Ｋ３未満である場合（ステップＳ１００４；ＮＯ）、ｓＰＤＳＣＨに対するトランスミッションスキームとしてＣＲＳ−ｂａｓｅｄトランスミッションスキームに決定して該ＣＲＳ−ｂａｓｅｄトランスミッションスキームを用いる。
【０１５７】
ステップＳ１００７において、端末装置１は、基地局装置３から通知されたｓＴＴＩパターン情報にｓＰＤＣＣＨ  ｌｅｎｇｔｈを示す情報が含まれる場合であって、ｓＰＤＣＣＨ  ｌｅｎｇｔｈを示す情報が任意の値Ｋ２未満である場合（ステップＳ１００２；ＮＯ）、ｓＰＤＣＣＨに対するトランスミッションスキームとしてＣＲＳ−ｂａｓｅｄトランスミッションスキームに決定して該ＣＲＳ−ｂａｓｅｄトランスミッションスキームを用いる。
【０１５８】
ステップＳ１００８において、端末装置１は、基地局装置３から通知されたｓＴＴＩパターン情報および／または第２のＤＬグラントにｓＰＤＳＣＨ  ｌｅｎｇｔｈを示す情報が含まれる場合であって、ｓＰＤＳＣＨ  ｌｅｎｇｔｈを示す情報が任意の値Ｋ３以上であるか否かを判定する。
ステップＳ１００９において、端末装置１は、ｓＰＤＳＣＨ  ｌｅｎｇｔｈを示す情報が任意の値Ｋ３以上である場合（ステップＳ１００８；ＹＥＳ）、ｓＰＤＳＣＨに対するトランスミッションスキームとしてＤＭＲＳ−ｂａｓｅｄトランスミッションスキームに決定して該ＤＭＲＳ−ｂａｓｅｄトランスミッションスキームを用いる。
ステップＳ１０１０において、端末装置１は、ｓＰＤＳＣＨ  ｌｅｎｇｔｈを示す情報が任意の値Ｋ３未満である場合（ステップＳ１００８；ＮＯ）、ｓＰＤＳＣＨに対するトランスミッションスキームとしてＣＲＳ−ｂａｓｅｄトランスミッションスキームに決定して該ＣＲＳ−ｂａｓｅｄトランスミッションスキームを用いる。
【０１５９】
ステップＳ１０１１において、端末装置１は、ｓＴＴＩ  ｌｅｎｇｔｈを示す情報が任意の値Ｋ１未満である場合（ステップＳ１００１；ＮＯ）、ｓＰＤＣＣＨに対するトランスミッションスキームとしてＣＲＳ−ｂａｓｅｄトランスミッションスキームに決定して該ＣＲＳ−ｂａｓｅｄトランスミッションスキームを用いる。
ステップＳ１０１２において、端末装置１は、基地局装置３から通知されたｓＴＴＩパターン情報および／または第２のＤＬグラントにｓＰＤＳＣＨ  ｌｅｎｇｔｈを示す情報が含まれる場合であって、ｓＰＤＳＣＨ  ｌｅｎｇｔｈを示す情報が任意の値Ｋ３以上であるか否かを判定する。
【０１６０】
ステップＳ１０１３において、端末装置１は、ｓＰＤＳＣＨ  ｌｅｎｇｔｈを示す情報が任意の値Ｋ３以上である場合（ステップＳ１０１２；ＹＥＳ）、ｓＰＤＳＣＨに対するトランスミッションスキームとしてＤＭＲＳ−ｂａｓｅｄトランスミッションスキームに決定して該ＤＭＲＳ−ｂａｓｅｄトランスミッションスキームを用いる。
ステップＳ１０１４において、端末装置１は、ｓＰＤＳＣＨ  ｌｅｎｇｔｈを示す情報が任意の値Ｋ３未満である場合（ステップＳ１０１２；ＮＯ）、ｓＰＤＳＣＨに対するトランスミッションスキームとしてＣＲＳ−ｂａｓｅｄトランスミッションスキームに決定して該ＣＲＳ−ｂａｓｅｄトランスミッションスキームを用いる。
【０１６１】
なお、各任意の値Ｋ１、Ｋ２、Ｋ３は、同じ値であってもよいし、異なる値であってもよい。
なお、第１の実施形態に係るトランスミッションスキーム決定処理は、第２の実施形態で説明するトランスミッションモード情報が上位層パラメータによって基づくものであってもよいし、第２の実施形態で説明するトランスミッションモード情報が上位層パラメータによって基づかないものであってもよい。つまり、第１の実施形態と第２の実施形態とを組み合わせてもよい。
【０１６２】
このように、第１の実施形態に係る端末装置１は、ｓＴＴＩの長さを示すｓＴＴＩパターン情報を受信する受信部１０５と、ショート物理下りリンク制御チャネルに対するトランスミッションスキームに応じてショート物理下りリンク制御チャネルをデコードし、ショート物理下りリンク共用チャネルに対するトランスミッションスキームに応じてショート物理下りリンク共用チャネルをデコードするデコード部（復号化部１０５１）と、を備え、記ショート物理下りリンク制御チャネルに対するトランスミッションスキームと、ショート物理下りリンク共用チャネルに対するトランスミッションスキームとは、ｓＴＴＩパターン情報に基づいて与えられる。
【０１６３】
これにより、端末装置１は、下りリンクデータを効率的に受信することができる。例えば、端末装置１は、過去のリリースに対応する端末装置との共存を可能とすることができる。結果として、下りリンクのリソースを効率的に使用することが可能となり、下りリンクデータを効率的に受信することができる。
【０１６４】
（第２の実施形態）
第２の実施形態では、上位層のパラメータによってトランスミッションモードが設定される場合について説明する。なお、第１の実施形態と同様の部分については説明を省略し、第２の実施形態において第１の実施形態と異なる部分を中心に説明する。
【０１６５】
基地局装置３は、ＲＲＣシグナリングによりトランスミッションモード情報（Ｔｒａｎｓｍｉｓｓｉｏｎ  Ｍｏｄｅ（ＴＭ）  ｉｎｆｏｒｍａｔｉｏｎ）を端末装置１に送信する。具体的には、基地局装置３は、トランスミッションモード情報として、共通設定情報（Ｃｏｍｍｏｎ  ｃｏｎｆｉｇｕｒａｔｉｏｎ）もしくは個別設定情報（Ｉｎｄｅｐｅｎｄｅｎｔ  ｃｏｎｆｉｇｕｒａｔｉｏｎ）を送信してもよい。
共通設定情報は、ＰＤＳＣＨとｓＰＤＳＣＨとに対して共通で設定される設定情報である。共通設定情報は、トランスミッションモード通知情報（ａｎｔｅｎｎａｉｎｆｏｄｅｄｉｃａｔｅｄやａｎｔｅｎｎａｉｎｆｏｄｅｄｉｃａｔｅｄ−ｒ１０）と共用してもよい。
【０１６６】
端末装置１は、基地局装置３からＲＲＣシグナリングによりトランスミッションモード情報として共通設定情報が送信（通知、指示）されると、ＰＤＳＣＨに対するトランスミッションモード（ＴＴＩモード（ＴＴＩ  ｍｏｄｅ（ＰＤＳＣＨに対するトランスミッションモード））とｓＴＴＩモード（ｓＴＴＩ  ｍｏｄｅ（ｓＰＤＳＣＨに対するトランスミッションモード））のいずれであるかに関わらず、該共通設定情報に基づいてＴＴＩモードとｓＴＴＩモードとで同じトランスミッションモードを用いることを想定する。
【０１６７】
たとえば、端末装置１は、基地局装置３から共通設定情報としてトランスミッションモードとしてＴＭ３が送信（通知、指示）されると、ＴＴＩモードに対するトランスミッションモードをＴＭ３と決定し、ｓＴＴＩモードに対するトランスミッションモードをＴＭ３と決定する。
【０１６８】
個別設定情報は、ＰＤＳＣＨとｓＰＤＳＣＨとのそれぞれに対して個別（柔軟、独立）に設定される設定情報である。個別設定情報は、ＴＴＩモードに対するパラメータと、ｓＴＴＩモードに対するパラメータとのように、それぞれに対する複数のパラメータであってもよい。また、個別設定情報は、ＴＴＩモードに対するパラメータと、ｓＴＴＩモードに対するパラメータを含む１つのパラメータであってもよい。ｓＴＴIモードに対するトランスミッションモードに用いられるトランスミッションモード情報は、個別設定情報として、ｓＰＤＣＣＨで送信されるＤＣＩのＤＣＩフォーマット（ＴＭ  ｉｎｄｅｐｅｎｄｅｎｔ  ＤＣＩ  ｆｏｒｍａｔ、ＴＭ−ｄｅｐｅｎｄｅｎｔ  ＤＣＩ  ｆｏｒｍａｔなど）により設定されてもよい。
【０１６９】
端末装置１は、共通設定情報や個別設定情報などの複数種類の設定情報のいずれか１つまたは複数の設定情報に基づいて、ＴＴＩモード（ＰＤＳＣＨに対するトランスミッションモード）とｓＴＴＩモード（ｓＰＤＳＣＨに対するトランスミッションモード）とを決定する。
【０１７０】
ここで、ＰＤＣＣＨで送信されるＤＣＩのＤＣＩフォーマットについて説明する。
【０１７１】
図１３は、本発明の第２の実施形態に係るＰＤＳＣＨに対するトランスミッションモードのＤＣＩフォーマットの一例を示す概略図である。また、図１４は、本発明の第２の実施形態に係るｓＰＤＳＣＨに対するトランスミッションモードのＤＣＩフォーマットの一例を示す概略図である。また、図１５は、本発明の第２の実施形態に係るｓＰＤＳＣＨに対するトランスミッションモードのＤＣＩフォーマットの他の一例を示す概略図である。
【０１７２】
端末装置１は、基地局装置３により送信されるトランスミッションモードが複数のトランスミッションモードのうちのいずれであるかに応じて、モニタすべきＰＤＣＣＨのＤＣＩフォーマットがいずれであるか、ＰＤＳＣＨおよび／またはｓＰＤＳＣＨに対するトランスミッションスキームがいずれであるかを決定してもよい。
端末装置１は、図１３に示すようにトランスミッションモードにより、モニタするＰＤＣＣＨのＤＣＩフォーマット、およびＰＤＳＣＨのトランスミッションスキームを決定してもよい。また、端末装置１は、図１４に示すように、トランスミッションモードにより、モニタするｓＰＤＣＣＨのＤＣＩフォーマット、およびｓＰＤＳＣＨのトランスミッションスキームがいずれであるかを決定してもよい。また、端末装置１は、図１５に示すように、トランスミッションモードにより、モニタするｓＰＤＣＣＨのＤＣＩフォーマット、およびｓＰＤＳＣＨのトランスミッションスキームがいずれであるかを決定してもよい。
【０１７３】
図１６は、本発明の第２の実施形態に係るＰＤＳＣＨトランスミッションモードとｓＰＤＳＣＨトランスミッションモードとを共通で設定する場合の一例を示すシーケンス図である。
具体的には、図１６に示す例は、トランスミッションモード情報として基地局装置３から端末装置１に対してＰＤＳＣＨおよびｓＰＤＳＣＨに対する共通設定情報が送信されたときの一例である。
【０１７４】
ステップＳ４００において、基地局装置３は、ＲＲＣシグナリングを用いてトランスミッションモード情報を端末装置１に送信する。例えば、基地局装置３は、ＰＤＳＣＨおよびｓＰＤＳＣＨのそれぞれに対するトランスミッションモードをトランスミッションモードＴＭ３とする共通設定情報をトランスミッションモード情報として、ＲＲＣシグナリングを用いて端末装置１に送信する。
【０１７５】
ステップＳ４０１において、基地局装置３は、ＲＲＣシグナリングを用いてｓＴＴＩパターン情報を端末装置１に送信してもよい。ここで、ｓＴＴＩパターン情報を受信した端末装置１は、ｓＴＴＩモードが設定されてもよい。即ち、ｓＴＴＩパターン情報を受信した端末装置１は、暗示的にｓＴＴＩモードが設定されてもよい。
あるいは、ステップＳ４０１において、基地局装置３は、ＲＲＣシグナリングを用いて新たなパラメータとしてｓＴＴＩモードに関連する情報（例えば、ｓＴＴＩ  Ｍｏｄｅ  ｉｎｄｉｃａｔｏｒ）を端末装置１に送信してもよい。ここで、ｓＴＴＩモードに関連する情報を受信した端末装置１は、ｓＴＴＩモードが設定されてもよい。即ち、ｓＴＴＩモードに関連する情報によって端末装置１は、明示的にｓＴＴＩモードが設定されてもよい。
【０１７６】
ステップＳ４０２において、端末装置１は、ｓＴＴＩに関連する情報に基づいて、ｓＴＴＩモードを設定する。
【０１７７】
ステップＳ４０６において、ｓＴＴＩモードが設定された端末装置１は、ステップＳ４００とステップＳ４０１とにおいて受信したＲＲＣシグナリングに基づいて、ＰＤＳＣＨのトランミッションモードと、ＰＤＣＣＨのトランミッションモードと、ｓＰＤＳＣＨのトランミッションモードと、ｓＰＤＣＣＨのトランミッションモードと、モニタするＤＣＩフォーマットの種類と、を決定する。
例えば、ＰＤＳＣＨに対するトランスミッションモードは、トランスミッションモードＴＭ３（Ｍｏｄｅ３）であり、モニタするＰＤＣＣＨのＤＣＩフォーマットは、トランスミッションモードＴＭ３に対応するＤＣＩ  ｆｏｒｍａｔ  １Ａ／２Ａ（図１３参照）であってもよい。また、ｓＰＤＣＣＨに対するトランスミッションモードは、トランスミッションモードＴＭ３（Ｍｏｄｅ  ３）であり、モニタするｓＰＤＣＣＨのＤＣＩフォーマットは、トランスミッションモードＴＭ３に対応するＤＣＩ  ｆｏｒｍａｔ  Ｘ１／Ｘ３（図１４参照）であってもよい。
【０１７８】
ステップＳ４０３において、基地局装置３は、端末装置１に対して、ｓＰＤＳＣＨに対応するＰＤＣＣＨおよび／またはｓＰＤＣＣＨの送信、およびｓＰＤＳＣＨの送信を、トランスミッションモードＴＭ３で送信してもよい。
【０１７９】
ステップＳ４０４において、基地局装置３は、端末装置１に対して、ＰＤＳＣＨに対応するＰＤＣＣＨおよびＰＤＳＣＨの送信を、トランスミッションモードＴＭ３で送信してもよい。
端末装置１は、ＴＴＩ  Ｍｏｄｅ  ＩｎｄｉｃａｔｏｒをＲＲＣシグナリングで通知されるまで、ＰＤＣＣＨのＤＣＩフォーマット（ＤＣＩ  ｆｏｒｍａｔ  １Ａ／２Ａ）をモニタし、ｓＰＤＣＣＨのＤＣＩフォーマット（ＤＣＩ  ｆｏｒｍａｔ  Ｘ１／Ｘ３）をモニタしてもよい。
なお、ステップＳ４０１において、基地局装置３が端末装置１に対してｓＴＴＩパターン情報を送信しなかった場合、および／または、サブフレームごとにｓＴＴＩバンド帯域幅および／またはｓＴＴＩパターン情報が設定されなかった場合、端末装置１は、ＴＴＩモードであってもよい。
【０１８０】
ステップＳ４０５において、基地局装置３は、ＲＲＣシグナリングを用いて新たなパラメータとしてＴＴＩモードに関連する情報（例えば、ＴＴＩ  Ｍｏｄｅ  ｉｎｄｉｃａｔｏｒ）を端末装置１に送信してもよい。
また、端末装置１がサブフレームごとにｓＴＴＩバンド帯域幅、および／またはｓＴＴＩパターン情報に設定されなかった場合、端末装置１は、ＴＴＩモードであってもよい。
【０１８１】
ステップＳ４０７において、端末装置１は、ＴＴＩモードに関連する情報に基づいて、ＴＴＩモード（ＰＤＣＣＨおよび／またはＰＤＳＣＨを送受信可能なモード）を設定する。
ステップＳ４０９において、端末装置１は、ＰＤＣＣＨのＤＣＩフォーマット（ＤＣＩ  ｆｏｒｍａｔ  １Ａ／２Ａ）のモニタを開始してもよい。
【０１８２】
ステップＳ４０８において、基地局装置３は、ステップＳ４０５において、ＴＴＩモードを設定した端末装置１に対して、例えば、トランスミッションモードＴＭ３に対応するＰＤＣＣＨ送信およびＰＤＳＣＨ送信してもよい。
【０１８３】
図１７は、本発明の第２の実施形態に係るｓＰＤＳＣＨトランスミッションモードとＰＤＳＣＨトランスミッションモードとを独立に設定する場合の一例を示すシーケンス図である。
具体的には、図１７に示す例は、トランスミッションモード情報として基地局装置３から端末装置１に対してＰＤＳＣＨおよびｓＰＤＳＣＨのそれぞれに対する個別設定情報が送信されたときの一例である。
【０１８４】
ステップＳ５００において、基地局装置３は、ＲＲＣシグナリングを用いてトランスミッションモード情報として個別設定情報を端末装置１に送信する。例えば、基地局装置３は、ＰＤＳＣＨに対するトランスミッションモードをトランスミッションモードＴＭ４（Ｍｏｄｅ  ４）、ｓＰＤＳＣＨに対するトランスミッションモードをトランスミッションモードＴＭ２（Ｍｏｄｅ  ２）とする個別設定情報をトランスミッションモード情報として、ＲＲＣシグナリングを用いて端末装置１に送信する。
【０１８５】
ステップＳ５０１において、基地局装置３は、ＲＲＣシグナリングを用いてｓＴＴＩパターン情報を端末装置１に送信してもよい。ここで、ｓＴＴＩパターン情報を受信した端末装置１は、ｓＴＴＩモードが設定されてもよい。即ち、ｓＴＴＩパターン情報を受信した端末装置１は、暗示的にｓＴＴＩモードが設定されてもよい。あるいは、ステップＳ５０１において、基地局装置３は、ＲＲＣシグナリングを用いて新たなパラメータとしてｓＴＴＩモードに関連する情報（例えば、ｓＴＴＩ  Ｍｏｄｅ  ｉｎｄｉｃａｔｏｒ）を端末装置１に送信してもよい。ここで、ｓＴＴＩモードに関連する情報を受信した端末装置１は、ｓＴＴＩモードが設定されてもよい。即ち、ｓＴＴＩモードに関連する情報によって端末装置１は、明示的にｓＴＴＩモードが設定されてもよい。
【０１８６】
ステップＳ５０２において、端末装置１は、ｓＴＴＩモードに関連する情報に基づいて、ｓＴＴＩモードを設定する。
【０１８７】
ステップＳ５０６において、ｓＴＴＩモードが設定された端末装置１は、ステップＳ５００とステップＳ５０１とにおいて受信したＲＲＣシグナリングに基づいて、ＰＤＳＣＨのトランミッションモードと、ＰＤＣＣＨのトランミッションモードと、ｓＰＤＳＣＨのトランミッションモードと、ｓＰＤＣＣＨのトランミッションモードと、モニタするＤＣＩフォーマットの種類と、を決定する。
例えば、ＰＤＳＣＨに対するトランスミッションモードは、トランスミッションモードＴＭ４（Ｍｏｄｅ  ４）であり、モニタするＰＤＣＣＨのＤＣＩフォーマットは、トランスミッションモードＴＭ４に対応するＤＣＩ  ｆｏｒｍａｔ  １Ａ／２（図１３参照）であってもよい。また、ｓＰＤＳＣＨに対するトランスミッションモードは、トランスミッションモードＴＭ２（Ｍｏｄｅ  ２）であり、モニタするｓＰＤＣＣＨのＤＣＩフォーマットは、トランスミッションモードＴＭ２に対応するＤＣＩ  ｆｏｒｍａｔ  Ｘ１／Ｘ２（図１４参照）であってもよい。
【０１８８】
ステップＳ５０３において、基地局装置３は、端末装置１に対して、ｓＰＤＳＣＨに対応するＰＤＣＣＨおよび／またはｓＰＤＣＣＨの送信、およびｓＰＤＳＣＨの送信を、トランスミッションモードＴＭ２で送信してもよい。
【０１８９】
ステップＳ５０４において、基地局装置３は、端末装置１に対して、ＰＤＳＣＨに対応するＰＤＣＣＨおよびＰＤＳＣＨの送信を、トランスミッションモードＴＭ４で送信してもよい。
端末装置１は、ＴＴＩ  Ｍｏｄｅ  ＩｎｄｉｃａｔｏｒをＲＲＣシグナリングで通知されるまで、ＰＤＣＣＨのＤＣＩフォーマット（ＤＣＩ  ｆｏｒｍａｔ  １Ａ／２）をモニタし、ｓＰＤＣＣＨのＤＣＩフォーマット（ＤＣＩ  ｆｏｒｍａｔ  Ｘ１／Ｘ２）をモニタしてもよい。
なお、ステップＳ５０１において、基地局装置３が端末装置１に対してｓＴＴＩパターン情報を送信しなかった場合、および／または、サブフレームごとにｓＴＴＩバンド帯域幅および／またはｓＴＴＩパターン情報が設定されなかった場合、端末装置１は、ＴＴＩモードであってもよい。
【０１９０】
ステップＳ５０５において、基地局装置３は、ＲＲＣシグナリングを用いて新たなパラメータとしてＴＴＩモードに関連する情報（例えば、ＴＴＩ  Ｍｏｄｅ  ｉｎｄｉｃａｔｏｒ）を端末装置１に送信してもよい。
【０１９１】
ステップＳ５０７において、端末装置１は、ＴＴＩモードに関連する情報に基づいて、ＴＴＩモード（ＰＤＣＣＨおよび／またはＰＤＳＣＨを送受信可能なモード）を設定する。
ステップＳ５０９において、端末装置１は、ＰＤＣＣＨのＤＣＩフォーマット（ＤＣＩ  ｆｏｒｍａｔ  １Ａ／２）のモニタを開始してもよい。
【０１９２】
ステップＳ５０８において、基地局装置３は、ステップＳ５０５においてＴＴＩモードを設定した端末装置１に対して、例えば、トランスミッションモードＴＭ４に対応するＰＤＣＣＨ送信およびＰＤＳＣＨ送信を行ってもよい。
【０１９３】
図１８は、本発明の第２の実施形態に係るｓＰＤＳＣＨトランスミッションモードとＰＤＳＣＨトランスミッションモードとを独立に設定する場合の他の一例を示すシーケンス図である。
具体的には、図１８に示す例は、トランスミッションモード情報として基地局装置３から端末装置１に対してＰＤＳＣＨおよびｓＰＤＳＣＨのそれぞれに対する個別設定情報が送信されたときの一例である。
【０１９４】
ステップＳ６００において、基地局装置３は、ＲＲＣシグナリングを用いてトランスミッションモード情報を端末装置１に送信してもよい。例えば、基地局装置３は、ＰＤＳＣＨに対するトランスミッションモードをトランスミッションモードＴＭ４、ｓＰＤＳＣＨに対するトランスミッションモードをトランスミッションモードＴＭＺ１とする個別設定情報をトランスミッションモード情報として、ＲＲＣシグナリングを用いて端末装置１に送信する。
【０１９５】
ステップＳ６０１において、基地局装置３は、ＲＲＣシグナリングを用いてｓＴＴＩパターン情報を端末装置１に送信してもよい。ここで、ｓＴＴＩパターン情報を受信した端末装置１は、ｓＴＴＩモードが設定されてもよい。即ち、ｓＴＴＩパターン情報を受信した端末装置１は、暗示的にｓＴＴＩモードが設定されてもよい。
あるいは、ステップＳ６０１において、基地局装置３は、ＲＲＣシグナリングを用いて新たなパラメータとしてｓＴＴＩモードに関連する情報（例えば、ｓＴＴＩ  Ｍｏｄｅ  ｉｎｄｉｃａｔｏｒ）を端末装置１に送信してもよい。ここで、ｓＴＴＩモードに関連する情報を受信した端末装置１は、ｓＴＴＩモードが設定されてもよい。即ち、ｓＴＴＩモードに関連する情報によって端末装置１は、明示的にｓＴＴＩモードが設定されてもよい。
【０１９６】
ステップＳ６０２において、端末装置１は、ｓＴＴＩモードに関する情報に基づいて、ｓＴＴＩモードを設定する。
【０１９７】
ステップＳ６０６において、ｓＴＴＩモードが設定された端末装置１は、ステップＳ６００とステップＳ６０１において受信したＲＲＣシグナリングに基づいて、ＰＤＳＣＨのトランスミッションモードとＰＤＣＣＨに対するトランスミッションモードと、ｓＰＤＳＣＨのトランスミッションモードと、ｓＰＤＣＣＨのトランスミッションモードと、モニタするＤＣＩフォーマットの種類を決定する。
例えば、ＰＤＳＣＨに対するトランスミッションモードは、トランスミッションモードＴＭ４（Ｍｏｄｅ  ４）であり、モニタするＰＤＣＣＨのＤＣＩフォーマットは、トランスミッションモードＴＭ４に対応するＤＣＩ  ｆｏｒｍａｔ  １Ａ／２（図１３参照）であってもよい。また、ｓＰＤＳＣＨに対するトランスミッションモードは、トランスミッションモードＴＭＺ１（Ｍｏｄｅ  Ｚ１）であり、モニタするｓＰＤＣＣＨのＤＣＩフォーマットは、トランスミッションモードＴＭＺ１に対応するＤＣＩ  ｆｏｒｍａｔ  Ｓ１／Ｓ２（図１５）であってもよい。
【０１９８】
ステップＳ６０３において、基地局装置３は、端末装置１に対して、ｓＰＤＳＣＨに対応するＰＤＣＣＨ送信および／またはｓＰＤＣＣＨ送信、およびｓＰＤＳＣＨ送信をトランスミッションモードＴＭＺ１で送信してもよい。
【０１９９】
ステップＳ６０４において、基地局装置３は、端末装置１に対して、ＰＤＳＣＨに対応するＰＤＣＣＨおよびＰＤＳＣＨの送信を、トランスミッションモードＴＭ４で送信してもよい。
端末装置１は、ＴＴＩ  Ｍｏｄｅ  ＩｎｄｉｃａｔｏｒをＲＲＣシグナリングで通知されるまで、ＰＤＣＣＨのＤＣＩフォーマット（ＤＣＩ  ｆｏｒｍａｔ  １Ａ／２）をモニタし、ｓＰＤＣＣＨのＤＣＩフォーマット（ＤＣＩ  ｆｏｒｍａｔ  Ｓ１／Ｓ２）をモニタしてもよい。
なお、ステップＳ６０１において、基地局装置３が端末装置１に対してｓＴＴＩパターン情報を送信しなかった場合、および／または、サブフレームごとにｓＴＴＩバンド帯域幅および／またはｓＴＴＩパターン情報が設定されなかった場合、端末装置１は、ＴＴＩモードであってもよい。
【０２００】
ステップＳ６０５において、基地局装置３は、ＲＲＣシグナリングを用いて新たなパラメータとしてＴＴＩモードに関連する情報（例えば、ＴＴＩ  Ｍｏｄｅ  ｉｎｄｉｃａｔｏｒ）を端末装置１に送信してもよい。
また、端末装置１がサブフレームごとにｓＴＴＩバンド帯域幅、および／またはｓＴＴＩパターン情報に設定されなかった場合、端末装置１は、ＴＴＩモードであってもよい。
【０２０１】
ステップＳ６０７において、端末装置１は、ＴＴＩモードに関連する情報に基づいて、ＴＴＩモード（ＰＤＣＣＨおよび／またはＰＤＳＣＨを送受信可能なモード）に設定する。
【０２０２】
ステップＳ６０９において、端末装置１は、ＰＤＣＣＨのＤＣＩフォーマット（ＤＣＩ  ｆｏｒｍａｔ  １Ａ／２）のモニタを開始してもよい。
ステップＳ６０８において、基地局装置３は、ステップＳ６０５においてＴＴＩモードを設定した端末装置１に対して、例えば、トランスミッションモードＴＭ４に対応するＰＤＣＣＨ送信およびＰＤＳＣＨ送信してもよい。
【０２０３】
このように、第２の実施形態に係る端末装置１は、トランスミッションモード情報を設定する上位層処理部（処理部１０１）と、物理下りリンク共用チャネルと、ショート物理下りリンク共用チャネルとを受信する受信部１０５と、を備え、トランスミッションモード情報は、物理下りリンク共用チャネルに対するトランスミッションモードと、ショート物理下りリンク共用チャネルに対するトランスミッションモードとを示す。
【０２０４】
また、第２の実施形態に係る端末装置１において、ショート物理下りリンク共用チャネルに対するトランスミッションモードに基づいて、モニタされる下りリンク制御情報フォーマットと、ショート物理下りリンク共用チャネルに対するトランスミッションスキームと、前記ショート物理下りリンク共用チャネル送信に用いられる複数のアンテナポートとが決定されてもよい。
【０２０５】
また、第２の実施形態に係る端末装置１において、トランスミッションモード情報には、第１のパラメータと第２のパラメータとが含まれ、第１のパラメータは、物理下りリンク共用チャネルに対するトランスミッションモードを示し、第２のパラメータは、ショート物理下りリンク共用チャネルに対するトランスミッションモードを示してもよい。
【０２０６】
また、第２の実施形態に係る端末装置１において、トランスミッションモード情報は、１つのパラメータを含み、１つのパラメータは、物理下りリンク共用チャネルとショート物理下りリンク共用チャネルとに対するトランスミッションモード共通情報を示してもよい。
【０２０７】
また、第２の実施形態に係る基地局装置３において、端末装置１にトランスミッションモード情報を設定する上位層処理部（処理部３０１）と、物理下りリンク共用チャネルと、ショート物理下りリンク共用チャネルとを送信する送信部３０７と、を備え、トランスミッションモード情報は、物理下りリンク共用チャネルに対するトランスミッションモードと、ショート物理下りリンク共用チャネルに対するトランスミッションモードとを示す。
【０２０８】
これにより、端末装置１は、下りリンクデータを効率的に受信することができる。例えば、端末装置１は、過去のリリースに対応する端末装置との共存を可能とすることができる。結果として、下りリンクのリソースを効率的に使用することが可能となり、下りリンクデータを効率的に受信することができる。
【０２０９】
（第３の実施形態）
第３の実施形態では、第１の実施形態で説明した無線通信システムの下りリンクデータの送信方法とは異なる場合について説明する。なお、第１の実施形態、第２の実施形態と同様の部分については説明を省略し、第３の実施形態において第１の実施形態、第２の実施形態と異なる部分を中心に説明する。
【０２１０】
図１９は、本発明の第３の実施形態に係る下りリンクデータの送信方法の一例を示す概略図である。
図示する例は、下りリンクデータの送信方法を示し、基地局装置３は、端末装置１に対して、１つのサブフレームにおいて所定のセルの周波数、所定のセルの周波数帯域幅で、所定の時間でＰＤＣＣＨ２００での送信とＰＤＳＣＨ２０１での送信とを行ってもよい。基地局装置３は、ＰＤＳＣＨ２０１での送信される所定のセルの周波数、所定のセルの周波数帯域幅で、所定の時間の一部又は全部において、１つまたは複数のｓＰＤＣＣＨでの送信と１つまたは複数のｓＰＤＳＣＨでの送信とを行ってもよい。
ここで、１つのサブフレームは、所定の送信時間間隔（ＴＴＩ）を用いて送信されてもよい。
【０２１１】
基地局装置３は、ＰＤＳＣＨでの送信が行われる所定のセルの周波数、所定のセルの周波数帯域幅で、所定の時間の一部又は全部における１つのｓＰＤＣＣＨでの送信と１つのｓＰＤＳＣＨでの送信とを、所定のショート送信時間間隔（ｓＴＴＩ）を用いて送信してもよい。
なお、基地局装置３は、ｓＰＤＣＣＨでの送信がｓＴＴＩを用いて送信されてもよいし、ｓＰＤＳＣＨでの送信がｓＴＴＩを用いて送信されてもよい。ここで、ＴＴＩ、ｓＴＴＩを長さで表すときには、ＴＴＩ  ｌｅｎｇｔｈ、ｓＴＴＩ  ｌｅｎｇｔｈと称する。ＴＴＩ  ｌｅｎｇｔｈ、ｓＴＴＩ  ｌｅｎｇｔｈのそれぞれは、シンボル数で定義されてもよいし、時間長で定義されてもよい。
【０２１２】
例えば、基地局装置３は、ｓＴＴＩ  ｌｅｎｇｔｈ２１７のうち、ｓＰＤＣＣＨ  ｌｅｎｇｔｈ２１１のｓＰＤＣＣＨ２０３を送信し、ｓＰＤＳＣＨ  ｌｅｎｇｔｈ２１２のｓＰＤＳＣＨ２０４を送信してもよい。
また、例えば、基地局装置３は、ｓＴＴＩ  ｌｅｎｇｔｈ２１８のうち、ｓＰＤＣＣＨ  ｌｅｎｇｔｈ２１３のｓＰＤＣＣＨ２０５を送信し、ｓＰＤＳＣＨ  ｌｅｎｇｔｈ２１４のｓＰＤＳＣＨ２０６を送信してもよい。
また、例えば、基地局装置３は、ｓＴＴＩ  ｌｅｎｇｔｈ２１９のうち、ｓＰＤＣＣＨ  ｌｅｎｇｔｈ２１５のｓＰＤＣＣＨ２０７を送信し、ｓＰＤＳＣＨ  ｌｅｎｇｔｈ２１６のｓＰＤＳＣＨ２０８を送信してもよい。
また、例えば、基地局装置３は、ＰＤＣＣＨ２００にｓＰＤＣＣＨでの送信が含まれるように送信し、ｓＰＤＳＣＨ  ｌｅｎｇｔｈ２１０のｓＰＤＳＣＨ２０２を送信してもよい。
ここで、ｓＰＤＣＣＨ２０３、２０５、２０７のそれぞれは、同じｓＰＤＣＣＨ  ｌｅｎｇｔｈであってもよいし、異なるｓＰＤＣＣＨ  ｌｅｎｇｔｈであってもよい。また、ｓＰＤＳＣＨ２０２、２０４、２０６、２０８のそれぞれは、同じｓＰＤＳＣＨ  ｌｅｎｇｔｈであってもよいし、異なるｓＰＤＳＣＨ  ｌｅｎｇｔｈであってもよい。また、ｓＴＴＩ  ｌｅｎｇｔｈ２１７、２１８、２１９のそれぞれは、同じｓＴＴＩ  ｌｅｎｇｔｈであってもよいし、異なるｓＴＴＩ  ｌｅｎｇｔｈであってもよい。
また、それぞれのｓＴＴＩ  ｌｅｎｇｔｈ２１７、２１８、２１９を用いて送信されるｓＰＤＣＣＨ２０３、２０５、２０７およびｓＰＤＳＣＨ２０２、２０４、２０６、２０８は、同じ周波数帯域幅（ｓＴＴＩ  ｂａｎｄｗｉｄｔｈ２０９）を用いてもよいし、ｓＴＴＩ  ｌｅｎｇｔｈ２１７、２１８、２１９のそれぞれにおいて異なる周波数帯域幅（ｓＴＴＩ  ｂａｎｄｗｉｄｔｈ）を用いてもよい。
【０２１３】
また、基地局装置３は、ＰＤＣＣＨ２００において、ＰＤＳＣＨ２０１での送信におけるｓＰＤＣＣＨ２０３、２０５、２０７および／またはｓＰＤＳＣＨ２０２、２０４、２０６、２０８に対するｓＰＤＣＣＨ、ｓＰＤＳＣＨの周波数割り当て情報や、キャリアアグリゲーションレベル等のｓＰＤＣＣＨに関する情報を下りリンク制御情報に含めて送信してもよい。
【０２１４】
このようにすることで、第１の実施形態、第２の実施形態と同様の効果を得ることができる。
【０２１５】
本発明のそれぞれの実施形態に係る基地局装置３、および端末装置１で動作するプログラムは、本発明の一態様に係る上記各実施形態の機能を実現するように、ＣＰＵ（Ｃｅｎｔｒａｌ  Ｐｒｏｃｅｓｓｉｎｇ  Ｕｎｉｔ）等を制御するプログラム（コンピュータを機能させるプログラム）であっても良い。そして、これら装置で取り扱われる情報は、その処理時に一時的にＲＡＭ（Ｒａｎｄｏｍ  Ａｃｃｅｓｓ  Ｍｅｍｏｒｙ）に蓄積され、その後、Ｆｌａｓｈ  ＲＯＭ（Ｒｅａｄ  Ｏｎｌｙ  Ｍｅｍｏｒｙ）などの各種ＲＯＭやＨＤＤ（Ｈａｒｄ  Ｄｉｓｋ  Ｄｒｉｖｅ）に格納され、必要に応じてＣＰＵによって読み出し、修正・書き込みが行われる。
【０２１６】
尚、上述した各実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２１７】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２１８】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２１９】
また、上述した各実施形態における基地局装置３は、複数の装置から構成される集合体（装置グループ）として実現することもできる。装置グループを構成する装置の各々は、上述した各実施形態に係る基地局装置３の各機能または各機能ブロックの一部、または、全部を備えてもよい。装置グループとして、基地局装置３の一通りの各機能または各機能ブロックを有していればよい。また、上述した各実施形態に係る端末装置１は、集合体としての基地局装置と通信することも可能である。
【０２２０】
また、上述した各実施形態における基地局装置３は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒk）であってもよい。また、上述した各実施形態における基地局装置３は、ｅＮｏｄｅＢに対する上位ノードの機能の一部または全部を有してもよい。
【０２２１】
また、上述した各実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２２２】
また、上述した各実施形態では、通信装置の一例として端末装置１を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２２３】
以上、この発明の各実施形態に関して図面を参照して詳述してきたが、具体的な構成はこの実施形態に限られるものではなく、この発明の要旨を逸脱しない範囲の設計変更等も含まれる。また、本発明の一態様は、請求項に示した範囲で種々の変更が可能であり、上述した各実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【０２２４】
（付記１）ｓＴＴＩの長さを示すｓＴＴＩパターン情報を受信する受信部と、ショート物理下りリンク制御チャネルに対するトランスミッションスキームに応じて前記ショート物理下りリンク制御チャネルをデコードし、前記ショート物理下りリンク共用チャネルに対するトランスミッションスキームに応じて前記ショート物理下りリンク共用チャネルをデコードするデコード部と、を備え、前記ショート物理下りリンク制御チャネルに対するトランスミッションスキームと、前記ショート物理下りリンク共用チャネルに対するトランスミッションスキームとは、前記ｓＴＴＩパターン情報に基づいて与えられる端末装置。
【０２２５】
（付記２）前記ショート物理下りリンク制御チャネルの長さに応じて、前記ショート物理下りリンク制御チャネルに対するトランスミッションスキームが決定される（付記１）に記載の端末装置。
【０２２６】
（付記３）前記ショート物理下りリンク制御チャネルの長さは、ｓＴＴＩバンド帯域幅によって決定される（付記２）に記載の端末装置。
【０２２７】
（付記４）ｓＴＴＩの長さを示すｓＴＴＩパターン情報を送信する送信部を備え、前記送信部は、ショート物理下りリンク制御チャネルに対するトランスミッションスキームに応じて前記ショート物理下りリンク制御チャネルをデコードさせ、前記ショート物理下りリンク共用チャネルに対するトランスミッションスキームに応じて前記ショート物理下りリンク共用チャネルをデコードさせるための、前記ショート物理下りリンク制御チャネルに対するトランスミッションスキームと、前記ショート物理下りリンク共用チャネルに対するトランスミッションスキームとを、前記ｓＴＴＩパターン情報に含めて送信する基地局装置。
【０２２８】
（付記５）前記ショート物理下りリンク制御チャネルの長さに応じて、前記ショート物理下りリンク制御チャネルに対するトランスミッションスキームが決定される（付記４）に記載の基地局装置。
【０２２９】
（付記６）前記ショート物理下りリンク制御チャネルの長さは、ｓＴＴＩバンド帯域幅によって決定される（付記５）に記載の基地局装置。
【０２３０】
（付記７）端末装置に用いられる通信方法であって、ｓＴＴＩの長さを示すｓＴＴＩパターン情報を受信する受信過程と、ショート物理下りリンク制御チャネルに対するトランスミッションスキームに応じて前記ショート物理下りリンク制御チャネルをデコードし、前記ショート物理下りリンク共用チャネルに対するトランスミッションスキームに応じて前記ショート物理下りリンク共用チャネルをデコードするデコード過程と、を有し、前記ショート物理下りリンク制御チャネルに対するトランスミッションスキームと、前記ショート物理下りリンク共用チャネルに対するトランスミッションスキームとは、前記ｓＴＴＩパターン情報に基づいて与えられる通信方法。
【０２３１】
（付記８）基地局装置に用いられる通信方法であって、ｓＴＴＩの長さを示すｓＴＴＩパターン情報を送信する送信過程を有し、前記送信過程は、ショート物理下りリンク制御チャネルに対するトランスミッションスキームに応じて前記ショート物理下りリンク制御チャネルをデコードさせ、前記ショート物理下りリンク共用チャネルに対するトランスミッションスキームに応じて前記ショート物理下りリンク共用チャネルをデコードさせるための、前記ショート物理下りリンク制御チャネルに対するトランスミッションスキームと、前記ショート物理下りリンク共用チャネルに対するトランスミッションスキームとを、前記ｓＴＴＩパターン情報に含めて送信する通信方法。
【０２３２】
（付記９）端末装置に搭載される集積回路であって、ｓＴＴＩの長さを示すｓＴＴＩパターン情報を受信する受信機能と、ショート物理下りリンク制御チャネルに対するトランスミッションスキームに応じて前記ショート物理下りリンク制御チャネルをデコードし、前記ショート物理下りリンク共用チャネルに対するトランスミッションスキームに応じて前記ショート物理下りリンク共用チャネルをデコードするデコード機能と、を実現させるための集積回路であり、前記ショート物理下りリンク制御チャネルに対するトランスミッションスキームと、前記ショート物理下りリンク共用チャネルに対するトランスミッションスキームとは、前記ｓＴＴＩパターン情報に基づいて与えられる集積回路。
【０２３３】
（付記１０）基地局装置に搭載される集積回路であって、ｓＴＴＩの長さを示すｓＴＴＩパターン情報を送信する送信機能を実現させるための集積回路であり、前記送信機能は、ショート物理下りリンク制御チャネルに対するトランスミッションスキームに応じて前記ショート物理下りリンク制御チャネルをデコードさせ、前記ショート物理下りリンク共用チャネルに対するトランスミッションスキームに応じて前記ショート物理下りリンク共用チャネルをデコードさせるための、前記ショート物理下りリンク制御チャネルに対するトランスミッションスキームと、前記ショート物理下りリンク共用チャネルに対するトランスミッションスキームとを、前記ｓＴＴＩパターン情報に含めて送信する集積回路。
【産業上の利用可能性】
【０２３４】
本発明の一態様は、例えば、通信システム、通信機器（例えば、携帯電話装置、基地局装置、無線ＬＡＮ装置、或いはセンサーデバイス）、集積回路（例えば、通信チップ）、又はプログラム等において、利用することができる。
【符号の説明】
【０２３５】
１、１Ａ、１Ｂ、１Ｃ  端末装置
３  基地局装置
１０１  処理部
１０１１  無線リソース制御部
１０１３  スケジューリング情報解釈部
１０１５  ｓＴＴＩ制御部
１０３  制御部
１０５  受信部
１０５１  復号化部
１０５３  復調部
１０５５  多重分離部
１０５７  無線受信部
１０５９  チャネル測定部
１０７  送信部
１０７１  符号化部
１０７３  変調部
１０７５  多重部
１０７７  無線送信部
１０７９  上りリンク参照信号生成部
１０９  送受信アンテナ部
３０１  処理部
３０１１  無線リソース制御部
３０１３  スケジューリング部
３０１５  ｓＴＴＩ制御部
３０３  制御部
３０５  受信部
３０５１  復号化部
３０５３  復調部
３０５５  多重分離部
３０５７  無線受信部
３０５９  チャネル測定部
３０７  送信部
３０７１  符号化部
３０７３  変調部
３０７５  多重部
３０７７  無線送信部
３０７９  下りリンク参照信号生成部
３０９  送受信アンテナ部
【図１】
2017195660.tif 000003
【図２】
2017195660.tif 000004
【図３】
2017195660.tif 000005
【図４】
2017195660.tif 000006
【図５】
2017195660.tif 000007
【図６】
2017195660.tif 000008
【図７】
2017195660.tif 000009
【図８】
2017195660.tif 000010
【図９】
2017195660.tif 000011
【図１０】
2017195660.tif 000012
【図１１】
2017195660.tif 000013
【図１２】
2017195660.tif 000014
【図１３】
2017195660.tif 000015
【図１４】
2017195660.tif 000016
【図１５】
2017195660.tif 000017
【図１６】
2017195660.tif 000018
【図１７】
2017195660.tif 000019
【図１８】
2017195660.tif 000020
【図１９】
2017195660.tif 000021
【国際調査報告】
2017195660.tif 000022
2017195660.tif 000023
2017195660.tif 000024